(57)【特許請求の範囲】
【請求項１】
無線通信システムにおけるダウンリンク制御チャネルを受信する方法であって、前記方法は、ユーザー機器により実行され、前記方法は、
サービングセルから同期化信号を受信することと、
前記同期化信号に基づいて前記サービングセルの物理的セル識別子を決定することと、
第１のＰＤＣＣＨ（Ｐｈｙｓｉｃａｌ  Ｄｏｗｎｌｉｎｋ  Ｃｏｎｔｒｏｌ  Ｃｈａｎｎｅｌ）を探すために第１の探索空間でブラインドデコーディングを実行することと、
前記サービングセルから設定情報を含むＲＲＣ（Ｒａｄｉｏ  Ｒｅｓｏｕｒｃｅ  Ｃｏｎｔｒｏｌ）メッセージを受信することであって、前記設定情報は、第２の探索空間及び第１の識別子情報を示す、ことと、
第２のＰＤＣＣＨを探すために前記第２の探索空間でブラインドデコーディングを実行することと
を含み、
前記第１のＰＤＣＣＨは、前記物理的セル識別子に基づいて復調され、
前記第２のＰＤＣＣＨは、前記第１の識別子情報に基づいて復調され、
前記物理的セル識別子は、前記サービングセルを識別し、
前記第１の識別子情報は、前記ユーザー機器に対する制御情報を受信するために使用され、
前記物理的セル識別子は、前記ＲＲＣメッセージがＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）を復調するための第２の識別子情報をさらに含まない場合には、前記ＣＳＩ−ＲＳを復調するために使用され、
前記物理的セル識別子は、前記ＲＲＣメッセージが前記ＣＳＩ−ＲＳを復調するための前記第２の識別子情報をさらに含む場合には、前記ＣＳＩ−ＲＳを復調するために使用されない、方法。
【請求項２】
前記第１の探索空間及び前記第２の探索空間は、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む一つのサブフレームで定義される、請求項１に記載の方法。
【請求項３】
前記同期化信号は、プライマリ同期化信号とセカンダリ同期化信号を含む、請求項１に記載の方法。
【請求項４】
前記第１の識別子情報は、仮想セル識別子を含む、請求項１に記載の方法。
【請求項５】
無線通信システムにおけるダウンリング制御チャネルを受信するように構成された無線装置であって、前記無線装置は、
無線信号を受信するように構成されたトランシーバと、
前記トランシーバと作用可能に連結されたプロセッサと
を含み、
前記プロセッサは、
サービングセルから同期化信号を受信するように前記トランシーバに命令することと、
前記同期化信号に基づいて前記サービングセルの物理的セル識別子を決定することと、
第１のＰＤＣＣＨ（Ｐｈｙｓｉｃａｌ  Ｄｏｗｎｌｉｎｋ  Ｃｏｎｔｒｏｌ  Ｃｈａｎｎｅｌ）を探すために第１の探索空間に対してブラインドデコーディングを実行することと、
前記サービングセルから設定情報を含むＲＲＣ（Ｒａｄｉｏ  Ｒｅｓｏｕｒｃｅ  Ｃｏｎｔｒｏｌ）メッセージを受信するように前記トランシーバに命令することであって、前記設定情報は、第２の探索空間及び第１の識別子情報を示す、ことと、
第２のＰＤＣＣＨを探すために前記第２の探索空間でブラインドデコーディングを実行することと
を実行するように構成され、
前記第１のＰＤＣＣＨは、前記物理的セル識別子に基づいて復調され、
前記第２のＰＤＣＣＨは、前記第１の識別子情報に基づいて復調され、
前記物理的セル識別子は、前記サービングセルを識別し、
前記第１の識別子情報は、前記ユーザー機器に対する制御情報を受信するために使用され、
前記物理的セル識別子は、前記ＲＲＣメッセージがＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）を復調するための第２の識別子情報をさらに含まない場合には、前記ＣＳＩ−ＲＳを復調するために使用され、
前記物理的セル識別子は、前記ＲＲＣメッセージが前記ＣＳＩ−ＲＳを復調するための前記第２の識別子情報をさらに含む場合には、前記ＣＳＩ−ＲＳを復調するために使用されない、無線装置。
【請求項６】
前記第１の探索空間及び前記第２の探索空間は、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む一つのサブフレームで定義される、請求項５に記載の無線装置。
【請求項７】
前記同期化信号は、プライマリ同期化信号とセカンダリ同期化信号を含む、請求項５に記載の無線装置。
【請求項８】
前記第１の識別子情報は、仮想セル識別子を含む、請求項５に記載の無線装置。
【発明の詳細な説明】
【技術分野】
【０００１】
本発明は、無線通信に関し、より詳しくは、制御情報を復調するための方法及び装置に関する。
【背景技術】
【０００２】
最近、無線通信ネットワークのデータ送信量が益々増加している。その理由は、マシンツーマシン（Ｍａｃｈｉｎｅ−ｔｏ−Ｍａｃｈｉｎｅ；Ｍ２Ｍ）通信及び高いデータ送信量を要求するスマートフォン、タブレットＰＣなど、多様なデバイスの出現及び普及のためである。要求される高いデータ送信量を満たすために、より多くの周波数帯域を効率的に使用する搬送波集約（ｃａｒｒｉｅｒ  ａｇｇｒｅｇａｔｉｏｎ）技術、コグニティブ無線（ｃｏｇｎｉｔｉｖｅ  ｒａｄｉｏ）技術などと、限定された周波数内でデータ容量を高めるために、多重アンテナ技術、多重基地局協力技術などが最近浮かび上がっている。
【０００３】
また、無線ネットワークは、ユーザ周辺にアクセスすることができるノード（ｎｏｄｅ）の密度が高まる方向に進化している。ここで、ノードとは、分散アンテナシステム（ｄｉｓｔｒｉｂｕｔｅｄ  ａｎｔｅｎｎａ  ｓｙｓｔｅｍ；ＤＡＳ）から一定間隔以上離れたアンテナ又はアンテナグループを意味するが、このような意味に限定されるものではなく、さらに広い意味で使われることができる。即ち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器などになることもできる。このような高い密度のノードを備えた無線通信システムは、ノード間の協力により高いシステム性能を示すことができる。
【０００４】
即ち、各ノードが独立的な基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）等）として動作することで、互いに協力しない時より各ノードが一つの制御局により送受信の管理を受けて一つのセルに対するアンテナ又はアンテナグループのように動作すると、優れたシステム性能を示すことができる。以下、複数のノードを含む無線通信システムを多重ノードシステムという。
【０００５】
ノードは、通常一定間隔以上離れたアンテナグループだけでなく、間隔に関係なしに任意のアンテナグループと定義しても適用することができる。例えば、クロス偏波アンテナ（ｃｌｏｓｓ  ｐｏｌａｒｉｚｅｄ  ａｎｔｅｎｎａ）で構成された基地局をＨ−偏波アンテナ（Ｈ−ｐｏｌ  ａｎｔｅｎｎａ）で構成されたノードとＶ−偏波アンテナ（Ｖ−ｐｏｌ  ａｎｔｅｎｎａ）で構成されたノードで構成されていると見ることができる。
【０００６】
多重ノードシステムでは端末に信号を送信するノードが端末別に異なり、複数個設定されることができる。このとき、各ノード別に互いに異なる参照信号（ｒｅｆｅｒｅｎｃｅ  ｓｉｇｎａｌ）を送信することができる。この場合、端末は、複数の参照信号を利用して各ノードと端末との間に対するチャネル状態を測定し、チャネル状態情報を周期的又は非周期的にフィードバックすることができる。
【発明の概要】
【発明が解決しようとする課題】
【０００７】
本発明の目的は、セル識別子（ｃｅｌｌ  ＩＤ（ｉｄｅｎｔｉｆｉｃａｔｉｏｎ））を利用して制御情報を復調するための方法を提供することである。
【０００８】
本発明の他の目的は、セル識別子（ｃｅｌｌ  ＩＤ（ｉｄｅｎｔｉｆｉｃａｔｉｏｎ））を利用して制御情報を復調するための方法を実行する装置を提供することである。
【課題を解決するための手段】
【０００９】
本発明の実施例によると、多重分散ノードシステムにおける制御情報受信方法は、同期化信号（ｓｙｎｃｈｒｏｎｉｚａｔｉｏｎ  ｓｉｇｎａｌ；ＳＳ）に基づいて第１のセル識別子を復調するステップ、ＲＲＣ（ｒａｄｉｏ  ｒｅｓｏｕｒｃｅ  ｃｏｎｔｒｏｌ）メッセージに基づいて第２のセル識別子を指示する情報を復調するステップ、及び前記第２のセル識別子に基づいてｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を復調するステップを含み、前記第１のセル識別子は、複数の隣接ノードが共有する指示子であり、前記第２のセル識別子は、前記複数の隣接ノードを指示する指示子である。第２のセル識別子を指示する情報は、前記ｅ−ＰＤＣＣＨの設定情報に含まれる。前記第２のセル識別子を指示する情報を復調するステップは、前記ＲＲＣメッセージに基づいて受信されたＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）のセル識別子を復調するステップ、前記ＲＲＣメッセージに基づいて前記ＣＳＩ−ＲＳのＰＰＣＩ（ｐｒｉｍａｒｙ  ｐｈｙｓｉｃａｌ  ｃｅｌｌ  ｉｄｅｎｔｉｆｉｅｒ）指示子を復調するステップ、及び前記第２のセル識別子を前記ＣＳＩ−ＲＳの前記セル識別子と同じに設定するステップを含み、前記ＣＳＩ−ＲＳの前記セル識別子は、前記ＣＳＩ−ＲＳを送信するノードを指示し、前記ＰＰＣＩ指示子は、前記第２のセル識別子が前記ＣＳＩ−ＲＳの前記セル識別子と同じかどうかを指示する。前記制御情報受信方法は、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するステップをさらに含み、前記ＰＤＳＣＨは、前記ＣＳＩ−ＲＳの前記セル識別子と同じセル識別子で生成される。前記第２のセル識別子を指示する情報を復調するステップは、前記ＲＲＣメッセージに基づいて予め決定されたリソース要素に位置したＣＳＩ−ＲＳのセル識別子を復調するステップ及び前記第２のセルＩＤを前記ＣＳＩ−ＲＳの前記セル識別子と同じに設定するステップを含み、前記ＣＳＩ−ＲＳの前記セル識別子は、前記ＣＳＩ−ＲＳを送信するノードを指示する。前記制御情報受信方法は、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するステップをさらに含み、前記ＰＤＳＣＨは、前記ＣＳＩ−ＲＳの前記セル識別子と同じセル識別子で生成される。
【００１０】
また、本発明の実施例によると、多重分散ノードシステムにおける制御情報を受信する端末において、前記端末は、同期化信号（ｓｙｎｃｈｒｏｎｉｚａｔｉｏｎ  ｓｉｇｎａｌ；ＳＳ）に基づいて第１のセル識別子を復調し、ＲＲＣ（ｒａｄｉｏ  ｒｅｓｏｕｒｃｅ  ｃｏｎｔｒｏｌ）メッセージに基づいて第２のセル識別子を指示する情報を復調するように具現されるプロセッサ及び前記第２のセル識別子に基づいてｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を復調するように具現されるトランシーバを含み、前記第１のセル識別子は、複数の隣接ノードが共有する指示子であり、前記第２のセル識別子は、前記複数の隣接ノードを指示する指示子である。前記第２のセル識別子を指示する情報は、前記ｅ−ＰＤＣＣＨの設定情報に含まれて送信される。前記プロセッサは、前記ＲＲＣメッセージに基づいて受信されたＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）のセル識別子を復調し、前記ＲＲＣメッセージに基づいて前記ＣＳＩ−ＲＳのＰＰＣＩ（ｐｒｉｍａｒｙ  ｐｈｙｓｉｃａｌ  ｃｅｌｌ  ｉｄｅｎｔｉｆｉｅｒ）指示子を復調し、前記第２のセル識別子を前記ＣＳＩ−ＲＳの前記セル識別子と同じに設定するように具現され、前記ＣＳＩ−ＲＳの前記セル識別子は、前記ＣＳＩ−ＲＳを送信するノードを指示し、前記ＰＰＣＩ指示子は、前記第２のセル識別子が前記ＣＳＩ−ＲＳの前記セル識別子と同じかどうかを指示する。前記プロセッサは、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するように具現され、前記ＰＤＳＣＨは、前記ＣＳＩ−ＲＳの前記セル識別子と同じセル識別子で生成される。前記プロセッサは、前記ＲＲＣメッセージに基づいて予め決定されたリソース要素に位置したＣＳＩ−ＲＳのセル識別子を復調し、前記第２のセルＩＤを前記ＣＳＩ−ＲＳの前記セル識別子と同じに設定するように具現され、前記ＣＳＩ−ＲＳの前記セル識別子は、前記ＣＳＩ−ＲＳを送信するノードを指示する。前記プロセッサは、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するように具現され、前記ＰＤＳＣＨは、前記ＣＳＩ−ＲＳの前記セル識別子と同じセル識別子で生成される。
本願明細書は、例えば、以下の項目も提供する。
（項目１）
多重分散ノードシステムにおける制御情報受信方法において、
同期化信号（ｓｙｎｃｈｒｏｎｉｚａｔｉｏｎ  ｓｉｇｎａｌ；ＳＳ）に基づいて第１のセル識別子を復調するステップ；
ＲＲＣ（ｒａｄｉｏ  ｒｅｓｏｕｒｃｅ  ｃｏｎｔｒｏｌ）メッセージに基づいて第２のセル識別子を指示する情報を復調するステップ；及び、
前記第２のセル識別子に基づいてｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を復調するステップ；を含み、
前記第１のセル識別子は、複数の隣接ノードが共有する指示子であり、
前記第２のセル識別子は、前記複数の隣接ノードを指示する指示子である制御情報受信方法。
（項目２）
前記第２のセル識別子を指示する情報は、前記ｅ−ＰＤＣＣＨの設定情報に含まれる項目１に記載の制御情報受信方法。
（項目３）
前記第２のセル識別子を指示する情報を復調するステップは、前記ＲＲＣメッセージに基づいて受信されたＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）のセル識別子を復調するステップ；前記ＲＲＣメッセージに基づいて前記ＣＳＩ−ＲＳのＰＰＣＩ（ｐｒｉｍａｒｙ  ｐｈｙｓｉｃａｌ  ｃｅｌｌ  ｉｄｅｎｔｉｆｉｅｒ）指示子を復調するステップ；及び、前記第２のセル識別子を前記ＣＳＩ−ＲＳの前記セル識別子と同じに設定するステップ；を含み、前記ＣＳＩ−ＲＳの前記セル識別子は、前記ＣＳＩ−ＲＳを送信するノードを指示し、前記ＰＰＣＩ指示子は、前記第２のセル識別子が前記ＣＳＩ−ＲＳの前記セル識別子と同じかどうかを指示する項目１に記載の制御情報受信方法。
（項目４）
前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するステップをさらに含み、前記ＰＤＳＣＨは、前記ＣＳＩ−ＲＳの前記セル識別子と同じセル識別子で生成される項目３に記載の制御情報受信方法。
（項目５）
前記第２のセル識別子を指示する情報を復調するステップは、前記ＲＲＣメッセージに基づいて予め決定されたリソース要素に位置したＣＳＩ−ＲＳのセル識別子を復調するステップ；及び、前記第２のセルＩＤを前記ＣＳＩ−ＲＳの前記セル識別子と同じに設定するステップ；を含み、前記ＣＳＩ−ＲＳの前記セル識別子は、前記ＣＳＩ−ＲＳを送信するノードを指示する項目１に記載の制御情報受信方法。
（項目６）
前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するステップをさらに含み、前記ＰＤＳＣＨは、前記ＣＳＩ−ＲＳの前記セル識別子と同じセル識別子で生成される項目５に記載の制御情報受信方法。
（項目７）
多重分散ノードシステムにおける制御情報を受信する端末において、前記端末は、
同期化信号（ｓｙｎｃｈｒｏｎｉｚａｔｉｏｎ  ｓｉｇｎａｌ；ＳＳ）に基づいて第１のセル識別子を復調し、ＲＲＣ（ｒａｄｉｏ  ｒｅｓｏｕｒｃｅ  ｃｏｎｔｒｏｌ）メッセージに基づいて第２のセル識別子を指示する情報を復調するように具現されるプロセッサ；及び、
前記第２のセル識別子に基づいてｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を復調するように具現されるトランシーバ；を含み、
前記第１のセル識別子は、複数の隣接ノードが共有する指示子であり、
前記第２のセル識別子は、前記複数の隣接ノードを指示する指示子である端末。
（項目８）
前記第２のセル識別子を指示する情報は、前記ｅ−ＰＤＣＣＨの設定情報に含まれて送信される情報である項目７に端末。
（項目９）
前記プロセッサは、前記ＲＲＣメッセージに基づいて受信されたＣＳＩ（ｃｈａｎｎｅｌ  ｓｔａｔｅ  ｉｎｆｏｒｍａｔｉｏｎ）−ＲＳ（ｒｅｆｅｒｅｎｃｅ  ｓｉｇｎａｌ）のセル識別子を復調し、前記ＲＲＣメッセージに基づいて前記ＣＳＩ−ＲＳのＰＰＣＩ（ｐｒｉｍａｒｙ  ｐｈｙｓｉｃａｌ  ｃｅｌｌ  ｉｄｅｎｔｉｆｉｅｒ）指示子を復調し、前記第２のセル識別子を前記ＣＳＩ−ＲＳの前記セル識別子と同じに設定するように具現され、前記ＣＳＩ−ＲＳの前記セル識別子は、前記ＣＳＩ−ＲＳを送信するノードを指示し、前記ＰＰＣＩ指示子は、前記第２のセル識別子が前記ＣＳＩ−ＲＳの前記セル識別子と同じかどうかを指示する項目７に端末。
（項目１０）
前記プロセッサは、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するように具現され、前記ＰＤＳＣＨは、前記ＣＳＩ−ＲＳの前記セル識別子と同じセル識別子で生成される項目９に端末。
（項目１１）
前記プロセッサは、前記ＲＲＣメッセージに基づいて予め決定されたリソース要素に位置したＣＳＩ−ＲＳのセル識別子を復調し、前記第２のセルＩＤを前記ＣＳＩ−ＲＳの前記セル識別子と同じに設定するように具現され、前記ＣＳＩ−ＲＳの前記セル識別子は、前記ＣＳＩ−ＲＳを送信するノードを指示する項目７に端末。
（項目１２）
前記プロセッサは、前記ＣＳＩ−ＲＳに基づいてＰＤＳＣＨ（ｐｈｙｓｉｃａｌ  ｄｏｗｎｌｉｎｋ  ｓｈａｒｅｄ  ｃｈａｎｎｅｌ）を復調するように具現され、前記ＰＤＳＣＨは、前記ＣＳＩ−ＲＳの前記セル識別子と同じセル識別子で生成される項目１１に端末。
【発明の効果】
【００１１】
前述したような本発明の実施例に係るプライマリセル識別子（ｐｒｉｍａｒｙ  ｃｅｌｌ  ＩＤ）を利用した制御チャネル復調方法及び装置によると、プライマリセル識別子と同じセル識別子を有する少なくとも一つのノードから送信された制御情報を受信することができる。したがって、多重分散ノードシステムで送信される制御情報を選択的に受信することができる。
【図面の簡単な説明】
【００１２】
【図１】単一セル多重分散ノードシステムを示す概念図である。
【図２】ＣＳＩ−ＲＳの送信と端末で測定されたＣＳＩのフィードバック（ｆｅｅｄｂａｃｋ）を示す概念図である。
【図３】ＣＳＩ−ＲＳの個数によるリソースブロックペア（ｒｅｓｏｕｒｃｅ  ｂｌｏｃｋ  ｐａｉｒ）においてＣＳＩ−ＲＳの位置を示す概念図である。
【図４】リソースブロックペア（ｒｅｓｏｕｒｃｅ  ｂｌｏｃｋ  ｐａｉｒ）でＣＳＩ−ＲＳがマッピングされる複数の構造（ｓｔｒｕｃｔｕｒｅ）を示す概念図である。
【図５】ＣｏＭＰ（ｃｏｏｒｄｉｎａｔｅｄ  ｍｕｌｔｉｐｏｉｎｔ  ｔｒａｎｓｍｉｓｓｉｏｎ）を利用したデータ送信方法を示す概念図である。
【図６】新たに導入された制御チャネルであるｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を示す概念図である。
【図７】ＬＴＥで提案されたリレイ方法（ｒｅｌａｙ  ｓｃｈｅｍｅ）を示す概念図である。
【図８】ｒｅｌａｙのためのＲ−ＰＤＣＣＨの割当構造を示す概念図である。
【図９】サブフレームでｅ−ＰＤＣＣＨを割り当てる方法を示す概念図である。
【図１０】サブフレームでｅ−ＰＤＣＣＨを割り当てる方法を示す概念図である。
【図１１】ネスティド仮想セルシステム（ｎｅｓｔｅｄ  ｖｉｒｔｕａｌ  ｃｅｌｌ  ｓｙｓｔｅｍ）を示す概念図である。
【図１２】本発明の実施例に係るＣＳＩ−ＲＳ情報要素（ＣＳＩ−ＲＳ  ｉｎｆｏｒｍａｔｉｏｎ  ｅｌｅｍｅｎｔ）を介して仮想セル識別子（ｖｉｒｔｕａｌ  ｃｅｌｌ  ＩＤ）を送信する方法を示す概念図である。
【図１３】本発明の実施例に係るｅ−ＰＤＣＣＨを送信する仮想セル識別子（ｖｉｒｔｕａｌ  ｃｅｌｌ  ＩＤ）を情報を送信する方法を示す概念図である。
【図１４】本発明の実施例に係る潜在的（ｉｍｐｌｉｃｉｔ）に仮想セル識別子に対する情報を端末が推定するようにする方法を説明するための概念図である。
【図１５】本発明の実施例に係るＰＰＣＩを使用してノードの動作を制御する方法を示す概念図である。
【図１６】本発明の実施例が適用されることができる無線装置を示すブロック図である。
【発明を実施するための形態】
【００１３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。
【００１４】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏｔｅｃｈｎｏｌｏｇｙ）で具現されることができる。ＴＤＭＡはＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。
【００１５】
図１は、単一セル多重分散ノードシステムを示す概念図である。
【００１６】
図１を参照すると、単一セル多重分散ノードシステムでは各々のノード１１０、１２０、１３０、１４０、１５０、１６０が一つの基地局コントローラ１００により送受信の管理を受けて一つのセル（Ｃｅｌｌ）の一部のように動作することができる。
【００１７】
以下、本発明の実施例におけるノード（ｎｏｄｅ）は、通常ＤＡＳ（ｄｉｓｔｒｉｂｕｔｅｄ  ａｎｔｅｎｎａ  ｓｙｓｔｅｍ）から一定間隔以上離れたアンテナグループ（物理的にはＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）などに該当）という。しかし、本発明において、ノードは、物理的な間隔に関係なしに任意のアンテナグループと解釈されることができる。例えば、本発明の実施例において、クロス偏波アンテナ（ｃｒｏｓｓ  ｐｏｌａｒｉｚｅｄ  ａｎｔｅｎｎａ）で構成された基地局は、各々のノードであるＨ−偏波アンテナ（Ｈ−ｐｏｌ  ａｎｔｅｎｎａ）で構成されたノードとＶ−偏波アンテナ（Ｖ−ｐｏｌ  ａｎｔｅｎｎａ）で構成されたノードで構成されていると見ることができる。ノードは、アンテナグループでないピコセル基地局（ＰｅＮＢ）、ホーム基地局（ＨｅＮＢ）などのような基地局になることもできる。
【００１８】
また、本発明における‘ノード’は、‘物理的観点でのノード’に限定されずに‘論理的観点でのノード’に拡張されて解釈されることができる。‘論理的観点でのノード’とは、端末の立場でノードと認知される送信パイロット信号を意味する。例えば、ＬＴＥ端末は、ノードの構成情報をＣＲＳ（ｃｅｌｌ−ｓｐｅｃｉｆｉｃ  ｒｅｆｅｒｅｎｃｅ  ｓｉｇｎａｌ）又はＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）ｐｏｒｔ（ｓ）を介して認知することができる。したがって、端末に論理的には認知されるノードと実際物理的ノードとは異なる。例えば、Ｎ個のＣＲＳポート（ｐｏｒｔｓ）が送信されるセルで、ＬＴＥ端末は、このセルがＮ個の送信アンテナを有する一つのノードで構成されていると認知することができる。しかし、このセルの物理的ノード構成は多様である。例えば、セル内に二つのノードがＮ／２個のＣＲＳポートずつ送信することもできる。他の例として、Ｎ個の送信アンテナを有する複数のノードがＮ個のＣＲＳポートをＳＦＮ（ｓｉｎｇｌｅ  ｆｒｅｑｕｅｎｃｙ  ｎｅｔｗｏｒｋ）ｓｔｙｌｅで送信することもできる。
【００１９】
結局、物理的ノードと論理的ノードとの関係は、端末の観点でトランスペアレント（ｔｒａｎｓｐａｒｅｎｔ）することができるため、端末は、論理的観点でのノードを認知して送受信プロセスを実行することができる。ＬＴＥ−Ａシステムで、論理的ノードは、一つのＣＳＩ−ＲＳリソース（又は、パターン）と認知されることができる。例えば、端末に複数のＣＳＩ−ＲＳリソースが設定される場合、端末は、各ＣＳＩ−ＲＳリソースを一つの論理的ノードと認知して送受信プロセスを実行することができる。
【００２０】
以下、本発明の実施例で記述するアンテナは、物理的なアンテナだけでなく、アンテナポート、仮想アンテナ、アンテナグループと呼ばれることができる。
【００２１】
多重分散マルチノードシステムにおいて、端末は、多様なダウンリンク物理チャネルに対してコヒーレント復調（ｃｏｈｅｒｅｎｔ  ｄｅｍｏｄｕｌａｔｉｏｎ）を実行しなければならない。端末でコヒーレント復調を実行するためにはダウンリンクチャネルの推定が必要である。端末がダウンリンクチャネルを推定するためにはＯＤＦＭの時間−周波数グリッド（又は、リソースグリッド（ｒｅｓｏｕｒｃｅ  ｇｒｉｄ））に端末が知っている参照シンボル（ｒｅｆｅｒｅｎｃｅ  ｓｙｍｂｏｌ）を挿入してチャネルを推定することができる。このような参照シンボルをダウンリンク参照シンボル又は参照シンボルということができる。参照シンボルには下記のような参照シンボルが使われることができる。
【００２２】
（１）ＣＲＳ（ｃｅｌｌ−ｓｐｅｃｉｆｉｃ  ｒｅｆｅｒｅｎｃｅ  ｓｉｇｎａｌ）は、各ダウンリンクサブフレームと全てのリソースブロック（ｒｅｓｏｕｒｃｅ  ｂｌｏｃｋ）で送信され、全てのセル帯域幅（ｃｅｌｌ  ｂａｎｄｗｉｄｔｈ）をカバーすることができる。ＣＲＳは、送信モード（ｔｒａｎｓｍｉｓｓｉｏｎ  ｍｏｄｅｓ）が７、８又は９の場合、ＰＭＣＨ（ｐｈｙｓｉｃａｌ  ｍｕｌｔｉｃａｓｔ  ｃｈａｎｎｅｌ）とＰＤＳＣＨ（ｐｈｙｓｉｃａｌ  ｄｏｗｎｌｉｎｋ  ｓｈａｒｅｄ  ｃｈａｎｎｅｌ）を除いた物理チャネルを介して送信された信号のコヒーレント復調のための参照信号として使われることができる。送信モードが７、８又は９は、コードブックに基づいていないプリコーディング（ｎｏｎ−ｃｏｄｅｂｏｏｋ−ｂａｓｅｄ  ｐｒｅｃｏｄｉｎｇ）を実行する場合を意味する。
【００２３】
また、ＣＲＳは、端末がＣＳＩ（ｃｈａｎｎｅｌ−ｓｔａｔｅ  ｉｎｆｏｒｍａｔｉｏｎ）を得るために使われることもでき、端末は、ＣＲＳに基づいてセル選択及びハンドオーバ可否に対する決定をすることができる。
【００２４】
（２）ＤＭ−ＲＳ（ｄｅｍｏｄｕｌａｔｉｏｎ  ｒｅｆｅｒｅｎｃｅ  ｓｉｇｎａｌｓ）は、端末特定参照信号（ＵＥ−ｓｐｅｃｉｆｉｃ  ｒｅｆｅｒｅｎｃｅ  ｓｉｇｎａｌ）という用語で定義されることもできる。ＤＭ−ＲＳは、送信モードが７、８又は９の場合、端末がＰＤＳＣＨ（ｐｈｙｓｉｃａｌ  ｄｏｗｎｌｉｎｋ  ｓｈａｒｅｄ  ｃｈａｎｎｅｌ）に対するチャネル測定をするために使われることができる。端末−特定（ＵＥ−ｓｐｅｃｉｆｉｃ）という用語は、各々のＤＭ−ＲＳが一つの端末によるチャネル測定に使われることを意味する。即ち、ＤＭ−ＲＳは、ＰＤＳＣＨチャネルを介して特定の端末に送信されるリソースブロックを介して送信されることができる。
【００２５】
（３）ＣＳＩ−ＲＳ（ＣＳＩ  ｒｅｆｅｒｅｎｃｅ  ｓｉｇｎａｌ）は、ｃｈａｎｎｅｌ−ｓｔａｔｅ  ｉｎｆｏｒｍａｔｉｏｎ（ＣＳＩ）を得るために使われる参照信号を意味する。ＣＳＩ−ＲＳは、あまりにも低い時間／周波数密度を有しているため、前述したＣＲＳに比べて低いオーバーヘッドを有する。
【００２６】
（４）ＭＢＳＦＮ  ｒｅｆｅｒｅｎｃｅ  ｓｉｇｎａｌは、ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）を使用するＭＣＨ（ｍｕｌｔｉｃａｓｔ  ｃｈａｎｎｅｌ）送信でコヒーレント復調（ｃｏｈｅｒｅｎｔ  ｄｅｍｏｄｕｌａｔｉｏｎ）のためのチャネル測定で使われる。
【００２７】
（５）位置参照信号（ｐｏｓｉｔｉｏｎｉｎｇ  ｒｅｆｅｒｅｎｃｅ  ｓｉｇｎａｌ）は、ＬＴＥ位置機能（ＬＴＥ  ｐｏｓｉｔｉｏｎｉｎｇ  ｆｕｎｃｔｉｏｎａｌｉｔｙ）を向上させるために使われる参照信号である。端末の地政学的位置を測定するために複数のＬＴＥセルで端末測定を実行するために使用することができる。特定のセルにおいて、位置参照信号は、隣接セルの空のリソース要素（ｅｍｐｔｙ  ｒｅｓｏｕｒｃｅ  ｅｌｅｍｅｎｔ）位置で使用することで、高いＳＩＲ（ｓｉｇｎａｌ  ｔｏ  ｉｎｔｅｒｆｅｒｅｎｃｅ  ｒａｔｉｏ）を得ることができる。
【００２８】
以下、本発明の実施例では多重ノード分散システムでＣＳＩ−ＲＳを利用してチャネル推定を実行する方法に対して開示する。
【００２９】
図２は、ＣＳＩ−ＲＳの送信と端末で測定されたＣＳＩのフィードバックを示す概念図である。
【００３０】
図２を参照すると、受信機２１０では送信機２００で送信したＣＳＩ−ＲＳに基づいて算出されたチャネル情報をＲＩ（ｒａｎｋ  ｉｎｄｅｘ）、ＰＭＩ（ｐｒｅｃｏｄｉｎｇ  ｍａｔｒｉｘ  ｉｎｄｅｘ）、ＣＱＩ（ｃｈａｎｎｅｌ  ｑｕａｌｉｔｙ  ｉｎｄｉｃａｔｏｒ）のようなパラメータを利用して送信機２００にフィードバックすることができる。ＲＩ、ＰＭＩ、ＣＱＩのようにチャネル情報を示すパラメータをＣＳＩ（ｃｈａｎｎｅｌ  ｓｔａｔｅ  ｉｎｆｏｒｍａｔｉｏｎ）ということができる。
【００３１】
（１）ＲＩ（ｒａｎｋ  ｉｎｄｅｘ）は、使われる送信ランク（ｔｒａｎｓｍｉｓｓｉｏｎ  ｒａｎｋ）に対する勧告（ｒｅｃｏｍｍｅｎｄａｔｉｏｎ）を送信機２００に提供する。即ち、送信機にダウンリンク送信に使われる階層（ｌａｙｅｒ）の個数に対する情報を提供することができる。
【００３２】
（２）ＰＭＩ（ｐｒｅｃｏｄｉｎｇ  ｍａｔｒｉｘ  ｉｎｄｅｘ）は、ダウンリンク送信に使われるプリコーダ行列（ｐｒｅｃｏｄｅｒ  ｍａｔｒｉｘ）を指示する値として使われることができる。プリコーダ行列（ｐｒｅｃｏｄｅｒ  ｍａｔｒｉｘ）は、ＲＩにより指示された階層（ｌａｙｅｒ）の個数を推定して決定されることができる。
【００３３】
（３）ＣＱＩ（ｃｈａｎｎｅｌ−ｑｕａｌｉｔｙ  ｉｎｄｉｃａｔｉｏｎ）は、最も高い変調コーディング方法（ｍｏｄｕａｌｔｉｏｎ  ｃｏｄｉｎｇ  ｓｃｈｅｍｅ；ＭＣＳ）に対する情報を送信機２００に提供することができる。
【００３４】
受信機２１０では送信機２００で送信されたＣＳＩ−ＲＳに対するフィードバック情報として前記のようにチャネル状態を示す情報であるＲＩ、ＰＭＩ、ＣＱＩを送信することでチャネル状態をリポートすることができる。
【００３５】
前述したＣＲＳもチャネル状態情報を得るために使われることができる参照信号であるため、ＣＲＳの役割とＣＳＩ−ＲＳの役割が重複することができる。ＣＳＩ−ＲＳは、下記のような二つの理由のため、既に存在する参照信号であるＣＲＳに対して補完するために使われることができる。
【００３６】
（１）ＬＴＥリリース８では一つのセルに最大４個の参照信号が存在した。しかし、ＬＴＥリリース１０では一つの基地局で８個の送信アンテナをサポートするため、ダウンリンク空間多重化（ｄｏｗｎｌｉｎｋ  ｓｐａｔｉａｌ  ｍｕｌｔｉｐｌｅｘｉｎｇ）が８階層まで可能である。このような理由のためＬＴＥリリース８で既存に使われた参照信号であるＣＲＳよりＣＳＩケイパビリティー（ｃａｐａｂｉｌｉｔｙ）を拡張させるための参照信号としてＣＳＩ−ＲＳが使われることができる。
【００３７】
（２）既存に使われるＣＲＳの時間−周波数（ｔｉｍｅ−ｆｒｅｑｕｅｎｃｙ）密度は、あまりにも速く変わるチャネル状況でチャネル測定が実行可能のように設定されるため高い。したがって、ＣＲＳは、高いオーバーヘッドとして作用するようになる。反面、ＣＳＩ−ＲＳは、単にＣＳＩのみをターゲッティング（ｔａｒｇｅｔｉｎｇ）する参照信号であるため、低い時間−周波数密度でＣＲＳに比べて相対的に低いオーバーヘッドを有する。したがって、既存の参照信号であるＣＲＳを拡張するより新たなタイプの参照信号として低い時間−周波数密度及び低いオーバーヘッドを有するＣＳＩ−ＲＳを定義して使用することができる。
【００３８】
一つのセルは、リソースブロックペア（ｒｅｓｏｕｒｃｅ  ｂｌｏｃｋ  ｐａｉｒ）単位に、１、２、４又は８個のＣＳＩ−ＲＳを使用することができる。リソースグリッドでＣＳＩ−ＲＳを配置した構造を示すＣＳＩ−ＲＳ  ｓｔｒｕｃｔｕｒｅ（又は、ＣＳＩ−ＲＳ  ｃｏｎｆｉｇｕｒａｔｉｏｎ）は、一つのｃｅｌｌで使われるＣＳＩ−ＲＳの個数によって互いに異なるＣＳＩ−ＲＳ構造（ｓｔｒｕｃｔｕｒｅ）を有することができる。例えば、リソースブロックペアで一つのＣＳＩ−ＲＳを使用する場合、ＣＳＩ−ＲＳは、４０個の他の組合せを有することができる。
【００３９】
リソースブロックペアは、二つのリソースブロックを含むリソース単位であり、一つのリソースブロックは、周波数軸に１２個のサブキャリア、時間軸に７個のＯＦＤＭシンボルを含むリソース単位になることができる。
【００４０】
図３は、ＣＳＩ−ＲＳの個数によるリソースブロックにおいてＣＳＩ−ＲＳの位置を示す概念図である。
【００４１】
図３を参照すると、リソースブロックペア３００、３１０は、二つのＣＳＩ−ＲＳが使われる場合を示す。陰影表示された部分は、リソースグリッド上でＣＳＩ−ＲＳが位置することができる部分を示す。
【００４２】
例えば、二つのＣＳＩ−ＲＳ３００−２−１、３００−２−２は、一つのリソースブロック３００−２から時間軸上に二つの連続的な参照要素（ｒｅｆｅｒｅｎｃｅ  ｅｌｅｍｅｎｔ）に位置することができる。二つのＣＳＩ−ＲＳ３００−２−１、３００−２−２は、各々、ＯＣＣ（ｏｒｔｈｏｇｏｎａｌ  ｃｏｖｅｒ  ｃｏｄｅｓ）を使用して互いに対する干渉が無いようにすることができる。陰影で表示されたリソース要素に二つのＣＳＩ−ＲＳが位置することができ、一つのリソースブロックペアで二つのＣＳＩ−ＲＳを使用する場合、リソースブロックペアで２０個の組合せを有することができる。
【００４３】
また、図３を参照すると、１）一つのリソースブロックペアで４個のＣＳＩ−ＲＳを使用する場合３４０、３４５、及び２）一つのリソースブロックペアで８個のＣＳＩ−ＲＳを使用する場合３６０、３６５が開示されている。
【００４４】
４個のＣＳＩ−ＲＳを使用する場合は、リソースブロックペアで１０個の互いに異なるＣＳＩ−ＲＳ構造組合せが存在することができ、８個のＣＳＩ−ＲＳを使用する場合は、リソースブロックペアで５個の互いに異なるＣＳＩ−ＲＳ構造組合せが存在することができる。
【００４５】
リソースブロックペアで一つのＣＳＩ−ＲＳを使用する場合、図１のリソースブロックペア３００、３１０のように二つのＣＳＩ−ＲＳを使用する場合と同じＣＳＩ−ＲＳ構造を有することができる。
【００４６】
時間ドメインの観点でＣＳＩ−ＲＳが送信される周期は、５ｍｓ（５番目のサブフレーム毎に）から８０ｍｓ（８番目のフレーム毎に）までの多様な周期に送信されることができる。一つのＣＳＩ−ＲＳを使用して５ｍｓ毎に送信される場合、ＣＳＩ−ＲＳを使用することによって発生されるオーバーヘッドは０．１２％になることができる。周辺セルとの干渉をなくすためにＣＳＩ−ＲＳが送信されるサブフレームが時間ドメイン上でも周辺セルと互いに異なる値を有するようにすることができる。
【００４７】
図３では周波数ドメインで一つのリソースブロックでＣＳＩ−ＲＳが送信されることを示したが、ＣＳＩ−ＲＳは、周波数ドメイン上の全てのリソースブロックで送信されることができるため、全体セル帯域幅を介してＣＳＩ−ＲＳが送信されることができる。
【００４８】
また、図３を参照すると、前述したように、現在ＣＳＩ−ＲＳの位置でない異なるリソース要素の位置にもＣＳＩ−ＲＳが使われることができる。このような潜在的なＣＳＩ−ＲＳ位置に該当するリソース要素のうち、ＣＳＩ−ＲＳに使われないリソース要素は、データシンボルの送信に使われることができる。
【００４９】
しかし、他の方法として、潜在的なＣＳＩ−ＲＳ位置に該当するリソース要素をミュートＣＳＩ−ＲＳ（ｍｕｔｅｄ  ＣＳＩ−ＲＳ（又は、ゼロパワー（ｚｅｒｏ  ｐｏｗｅｒ  ＣＳＩ−ＲＳ）））として使用することもできる。ミュートＣＳＩ−ＲＳは、一般的なＣＳＩ−ＲＳ構造と同じであるが、該当リソース要素の位置で何も送信されないという点で差がある。
【００５０】
他の周辺セルでＣＳＩ−ＲＳを送信する場合、現在セルのミュートＣＳＩ−ＲＳは、送信ホール（ｔｒａｎｓｍｉｓｓｉｏｎ  ｈｏｌｅ）になり、送信ホールは、下記のような二つの目的で使われることができる。
【００５１】
（１）端末が自分のセル（ｃｅｌｌ）での送信に影響を受けずに周辺セルのＣＳＩ−ＲＳを受信することができるようにする。周辺セルのＣＳＩ−ＲＳを受信することによって周辺セルのチャネル情報を得ることができる。周辺セルのＣＳＩ−ＲＳに基づいたチャネル情報は、ＣｏＭＰ（ｃｏｏｐｅｒａｔｉｖｅ  ｍｕｌｔｉ  ｐｏｉｎｔ）のような複数−セル送信（ｍｕｌｔｉ−ｃｅｌｌ  ｔｒａｎｓｍｉｓｓｉｏｎ）技術で活用されることができる。
【００５２】
（２）他のセルでＣＳＩ−ＲＳ送信に  対する干渉を減少させる。異種ネットワーク（ｈｅｔｅｒｏｇｅｎｅｏｕｓ  ｎｅｔｗｏｒｋ）のようにセルがオーバーラッピング（ｏｖｅｒｌａｐｐｉｎｇ）されているネットワークでは他のセルからＣＳＩ−ＲＳが送信されるリソース要素（ｒｅｓｏｕｒｃｅ  ｅｌｅｍｅｎｔ）位置にエネルギーをなくすことで、現在セルで送信される信号により他のセルの信号が干渉を受けることを防止することができる。
【００５３】
（１）の場合のように周辺セルのＣＳＩ−ＲＳを受信するための場合、周辺セルで使用するＣＳＩ−ＲＳ集合に対してミュートＣＳＩ−ＲＳを使用するため、複数個の集合で構成されたミュートＣＳＩ−ＲＳを使用することができる。（２）の場合のように自分のセルとオーバーラッピングされたセルのＣＳＩ−ＲＳと干渉が発生されないようにするために一つの集合で構成されたミュートＣＳＩ−ＲＳを使用することができる。
【００５４】
図４は、リソースブロックペアでＣＳＩ−ＲＳがマッピングされる複数の構造を示す概念図である。
【００５５】
下記の実施例では、説明の便宜上、二つのＣＳＩ−ＲＳがリソースブロックペアに含まれる場合を仮定して説明するが、前述したように、１個、４個又は８個のＣＳＩ−ＲＳがリソースブロックペアに含まれることができる。
【００５６】
図４を参照すると、ＨｅｔＮｅｔのようなマルチ−セル環境でセル間干渉（ｉｎｔｅｒ−ｃｅｌｌ  ｉｎｔｅｒｆｅｒｅｎｃｅ）を減らすために、ＣＳＩ−ＲＳは、リソースブロックペアで互いに異なる設定（又は、構造）を有することができる。
【００５７】
リソースブロックペア内でＣＳＩ−ＲＳ設定（ｃｏｎｆｉｇｕｒａｔｉｏｎ）は、セル内のアンテナポート数によって互いに変わることができ、隣接セル間で最大限異なるＣＳＩ−ＲＳ設定を有するように構成されることができる。
【００５８】
また、リソースブロックペア内でＣＳＩ−ＲＳの設定は、ＣＰ（ｃｙｃｌｉｃ  ｐｒｅｆｉｘ）のタイプによって区分されることができ、また、フレーム構造１（ｆｒａｍｅ  ｓｔｒｕｃｔｕｒｅ  １）とフレーム構造２（ｆｒａｍｅ  ｓｔｒｕｃｔｕｒｅ  ２）の両方ともに適用される場合とフレーム構造２にのみ適用される場合に分けられることができる（フレーム構造１とフレーム構造２は、送信方式がＴＤＤ（ｔｉｍｅ  ｄｉｖｉｓｉｏｎ  ｄｕｐｌｅｘ）か、ＦＤＤ（ｆｒｅｑｕｅｎｃｙ  ｄｉｖｉｓｉｏｎ  ｄｕｐｌｅｘ）かを示す）。
【００５９】
また、ＣＳＩ−ＲＳは、ＣＲＳと違って最大８ポート（Ｐ＝１５、Ｐ＝１５，１６、Ｐ＝１５，．．．，１８、及びＰ＝１５，．．．，２２）までサポートし、△ｆ＝１５ｋＨｚに対して定義されることができる。
【００６０】
ＣＳＩ−ＲＳ設定は、下記のような方法により算出されることができる。
【００６１】
ＣＳＩ−ＲＳに対するシーケンスｒｌ，ｎｓ（ｍ）は、以下の数式のように生成される。
【００６２】
【数１】
0005703398.tif 000002
【００６３】
以上の数式において、ｎｓは、一無線フレーム（ｒａｄｉｏ  ｆｒａｍｅ）内のスロット番号（ｓｌｏｔ  ｎｕｍｂｅｒ）であり、ｌは、そのスロット内のＯＦＤＭシンボル番号である。ｃ（ｉ）は、疑似ランダムシーケンス（ｐｓｅｕｄｏ  ｒａｎｄｏｍ  ｓｅｑｕｅｎｃｅ）であり、ｃｉｎｉｔとして各ＯＦＤＭシンボルで始まる。
【化１】
0005703398.tif 000003
は、物理階層セルＩＤを意味する。
【００６４】
セルＩＤに基づくシード（ｓｅｅｄ）値で生成された疑似ランダムシーケンス（ｐｓｅｕｄｏ−ｒａｎｄｏｍ  ｓｅｑｕｅｎｃｅ）ｒｌ，ｎｓ（ｍ）を複素値変調シンボル（ｃｏｍｐｌｅｘｅｄ−ｖａｌｕｅｄ  ｍｏｄｕａｌｔｉｏｎ  ｓｙｍｂｏｌ）
【化２】
0005703398.tif 000004
でリソースマッピング（ｒｅｓｏｕｒｃｅ  ｍａｐｐｉｎｇ）することができる。以下の数式２は、ＣＳＩ−ＲＳを送信するように設定されたサブフレームで、参照信号シーケンスｒｌ，ｎｓ（ｍ）をアンテナポートｐに対する参照シンボルとして使われる複素値変調シンボル
【化３】
0005703398.tif 000005
でマッピングする式である。
【００６５】
【数２】
0005703398.tif 000006
【００６６】
前記数式２において、（ｋ′，ｌ′）とｎｓは、後述する表１及び表２で与えられる。ＣＳＩ−ＲＳは（ｎｓ  ｍｏｄ  ２）が後述する表１及び表２の条件を満たすダウンリンクスロットで送信されることができる。
【００６７】
以下の表１は、ノーマルＣＰに対するＣＳＩ−ＲＳ設定を示す。
【００６８】
【表１】
0005703398.tif 000007
【００６９】
以下の表２は、拡張ＣＰに対するＣＳＩ−ＲＳ設定を示す。
【００７０】
【表２】
0005703398.tif 000008
【００７１】
一セルで複数個のＣＳＩ−ＲＳ設定が使われることができ、ノンゼロパワーＣＳＩ−ＲＳ（ｎｏｎ−ｚｅｒｏ  ｐｏｗｅｒ  ＣＳＩ−ＲＳ）は、０又は１個の設定（ｃｏｎｆｉｇｕｒａｔｉｏｎ）を使用し、ゼロパワーＣＳＩ−ＲＳ（ｚｅｒｏ−ｐｏｗｅｒ  ＣＳＩ−ＲＳ）は、０又は複数個の設定を使用することができる。
【００７２】
ゼロパワー（ｚｅｒｏ−ｐｏｗｅｒ）ＣＳＩ−ＲＳの場合、表１で、４ポートの１６個を１６−ビットビットマップ（１６−ｂｉｔ  ｂｉｔｍａｐ）で表し、各ビットを‘１’にして多様に設定することができる。そのビットマップ（ｂｉｔｍａｐ）は、上位階層のＺｅｒｏＰｏｗｅｒＣＳＩ−ＲＳで指示される。ただし、ノンゼロパワーＣＳＩ−ＲＳ（ｎｏｎ−ｚｅｒｏ  ｐｏｗｅｒＣＳＩ−ＲＳ）で設定されたリソース要素は除外される。ＭＳＢ（ｍｏｓｔ  ｓｉｇｎｉｆｉｃａｎｔ  ｂｉｔ）が最低ＣＳＩ−ＲＳ設定インデックス（ｌｏｗｅｓｔ  ＣＳＩ−ＲＳ  ｃｏｎｆｉｇｕｒａｔｉｏｎ  ｉｎｄｅｘ）であり、ビットの順に昇順の設定インデックス（ｃｏｎｆｉｇｕｒａｔｉｏｎ  ｉｎｄｅｘ）を示す。
【００７３】
下記の場合、端末は、ＣＳＩ−ＲＳが送信されないと仮定する。
【００７４】
−ＦＳタイプ２（ＦＳ  ｔｙｐｅ  ２）でのスペシャルサブフレーム（ｓｐｅｃｉａｌ  ｓｕｂｆｒａｍｅ）内で
【００７５】
−ＣＳＩ−ＲＳが同期化信号（ｓｙｎｃｈｒｏｎｉｚａｔｉｏｎ  ｓｉｇｎａｌｓ）、ＰＢＣＨ、ＳｙｓｔｅｍＩｎｆｏｒｍａｔｉｏｎＢｌｏｃｋＴｙｐｅ１メッセージと衝突するサブフレーム内で
【００７６】
−ページングメッセージ（ｐａｇｉｎｇ  ｍｅｓｓａｇｅ）が送信されるサブフレーム内で
【００７７】
Ｓ＝｛１５｝、Ｓ＝｛１５，１６｝、Ｓ＝｛１７，１８｝、Ｓ＝｛１９，２０｝又はＳ＝｛２１，２２｝である集合Ｓで、一アンテナポート（ａｎｔｅｎｎａ  ｐｏｒｔ）のＣＳＩ−ＲＳが送信されるＲＥ（Ｒｅｓｏｕｒｃｅ  Ｅｌｅｍｅｎｔ）は、ＰＤＳＣＨや他のアンテナポートのＣＳＩ−ＲＳの送信に使われない。
【００７８】
ＣＳＩ−ＲＳのサブフレーム設定ＩＣＳＩ−ＲＳは、上位階層で指示され、表３のようにＣＳＩ−ＲＳのサブフレーム設定とサブフレームオフセット値を知らせる。
【００７９】
【表３】
0005703398.tif 000009
【００８０】
以下の表４は、ＣＳＩ−ＲＳ設定ＩＥ（ｉｎｆｏｒｍａｔｉｏｎ  ｅｌｅｍｅｎｔ）を示す。
【００８１】
【表４】
0005703398.tif 000010
【００８２】
ＣＳＩ−ＲＳ設定ＩＥ（ｉｎｆｏｒｍａｔｉｏｎ  ｅｌｅｍｅｎｔ）にはＣＳＩ−ＲＳ−Ｃｏｎｆｉｇ−ｒ１０情報であり、参照信号であるＣＳＩ−ＲＳを構成するためのパラメータとしてａｎｔｅｎｎａＰｏｒｔｓＣｏｕｎｔ、ｒｅｓｏｕｒｃｅＣｏｎｆｉｇ、ｓｕｂｆｒａｍｅＣｏｎｆｉｇ、ｐ−Ｃ−ｒ１０に対する情報が含まれることができる。また、ＣＳＩ−ＲＳ設定ＩＥにはミュートＣＳＩ−ＲＳ（ｍｕｔｅｄ  ＣＳＩ−ＲＳ（ゼロパワーＣＳＩ−ＲＳ（ｚｅｒｏ−ｐｏｗｅｒ  ＣＳＩ−ＲＳ）））を構成するためのパラメータとして複数のパラメータがｚｅｒｏＴｘＰｏｗｅｒ−ＲＳ−ｒ１０に含まれることができる。
【００８３】
即ち、ＣＳＩ−ＲＳ設定ＩＥ（ｉｎｆｏｒｍａｔｉｏｎ  ｅｌｅｍｅｎｔ）にはＣＳＩ−ＲＳとゼロパワー（ｚｅｒｏ−ｐｏｗｅｒ  ＣＳＩ−ＲＳ）の構成に対する情報が含まれることができる。
【００８４】
設定ＩＥに含まれるパラメータは、以下の表５で開示された情報を含むことができる。
【００８５】
【表５】
0005703398.tif 000011
【００８６】
図５は、ＣｏＭＰ（ｃｏｏｒｄｉｎａｔｅｄ  ｍｕｌｔｉｐｏｉｎｔ  ｔｒａｎｓｍｉｓｓｉｏｎ）を利用したデータ送信方法を示す概念図である。
【００８７】
ＣｏＭＰは、ノード（ｐｏｉｎｔ）間協力通信技法を意味する。多重セル多重分散ノードシステムではＣｏＭＰを適用してセル間干渉（Ｉｎｔｅｒ−ｃｅｌｌ  ｉｎｔｅｒｆｅｒｅｎｃｅ）を減らすことができ、単一セル多重分散ノードシステムではセル内の多重ノード間干渉（Ｉｎｔｒａ−ｃｅｌｌ  ｉｎｔｅｒ−ｐｏｉｎｔ  ｉｎｔｅｒｆｅｒｅｎｃｅ）を減らすことができる。ＣｏＭＰを利用すると、端末は、多重ノードから共同にデータのサポートを受けることができる。ＣｏＭＰを使用する場合、各々の基地局は、システムの性能を向上させるために、同じ周波数リソース（Ｓａｍｅ  Ｒａｄｉｏ  Ｆｒｅｑｕｅｎｃｙ  Ｒｅｓｏｕｒｃｅ）を利用して一つ以上の端末を同時にサポートすることができる。また、ＣｏＭＰを使用する場合、基地局は、基地局と端末との間のチャネルに対する状態情報に基づいて空間分割多重接続（ＳＤＭＡ；Ｓｐａｃｅ  Ｄｉｖｉｓｉｏｎ  Ｍｕｌｔｉｐｌｅ  Ａｃｃｅｓｓ）方法を実行することもできる。
【００８８】
ＣｏＭＰの主要目的は、セル境界又はノード境界端末の通信性能改善である。ＬＴＥではＣｏＭＰ方法を一般的にデータ送信方法によって下記のように二つに分けられることができる。
【００８９】
（１）ジョイントプロセッシング（ｊｏｉｎｔ  ｐｒｏｃｅｓｓｉｎｇ；ＪＰ）
【００９０】
図５（Ａ）は、ジョイントプロセッシング（ＪＰ）を示す。図５（Ａ）を参照すると、ジョイントプロセッシング（ＪＰ）は、端末５００に対するデータを一つ以上のノード５１０、５２０で共有しながら送信する方法をいう。
【００９１】
ジョイントプロセッシングは、送信方法によって三つの形態（コヒーレントジョイント送信（ｃｏｈｅｒｅｎｔ  Ｊｏｉｎｔ  Ｔｒａｎｓｍｉｓｓｉｏｎ）、ノンコヒーレントジョイント送信（Ｎｏｎ−Ｃｏｈｅｒｅｎｔ  Ｊｏｉｎｔ  Ｔｒａｎｓｍｉｓｓｉｏｎ）、及びダイナミックポイント（セル）選択（Ｄｙｎａｍｉｃ  Ｐｏｉｎｔ（Ｃｅｌｌ）  Ｓｅｌｅｃｔｉｏｎ））に分類されることができる。コヒーレントジョイント送信（Ｃｏｈｅｒｅｎｔ  ｊｏｉｎｔ  ｔｒａｎｓｍｉｓｓｉｏｎ）は、セル間にプリコーディング（ｐｒｅｃｏｄｉｎｇ）を使用して端末５００が受信を受けたデータを同時に処理する方法を意味する。ノンコヒーレントジョイント送信（Ｎｏｎ−Ｃｏｈｅｒｅｎｔ  ｊｏｉｎｔ  ｔｒａｎｓｍｉｓｓｉｏｎ）は、端末５００がソフト−コンバイニング（ｓｏｆｔ−ｃｏｍｂｉｎｉｎｇ）を利用してＯＦＤＭ信号を受けて処理する方法を示す。
【００９２】
ＤＰＳ（ｄｙｎａｍｉｃ  ｐｏｉｎｔ  ｓｅｌｅｃｔｉｏｎ）は、複数のセルのうち、一つのセル（又は、ノード５１０）でＰＤＳＣＨ（ｐｈｙｓｉｃａｌ  ｄｏｗｎｌｉｎｋ  ｓｈａｒｅｄ  ｃｈａｎｎｅｌ）を介してデータの送信を担当し、他のセル（又は、他のノード５２０）は、ミューティング（ｍｕｔｉｎｇ）をして干渉をなくす方法を使用して端末にデータを送信することができる。ＤＰＳを使用する場合、送信／ミューティングポイント（ノード）（ｔｒａｎｓｍｉｔｔｉｎｇ／ｍｕｔｉｎｇ  ｐｏｉｎｔ（ｎｏｄｅ））が一つのサブフレームで他のサブフレームを送信する時に変わったり、一つのフレーム内でリソースブロックペアを基準に変わったりすることもできる。
【００９３】
（２）コーディネーションスケジューリング（Ｃｏｏｒｄｉｎａｔｉｏｎ  Ｓｃｈｅｄｕｌｉｎｇ（ＣＳ））／コーディネーションビーム形成（Ｃｏｏｒｄｉｎａｔｉｏｎ  Ｂｅａｍｆｏｒｍｉｎｇ（ＣＢ））
【００９４】
図５（Ｂ）は、コーディネーションスケジューリング／コーディネーションビーム形成を示す。図５（Ｂ）を参照すると、ＣＳ／ＣＢは、一つのノード（サービングポイント（ｓｅｒｖｉｎｇ  ｐｏｉｎｔ））５６０でのみ端末５５０に送信可能であるが、他のノード５７０でスケジューリング又は送信ビームの干渉を減らす方向にサービングポイントに協力する方法を意味する。また、ＣＳ／ＣＢ技法は、ＳＳＰＳ（Ｓｅｍｉ−ｓｔａｔｉｃ  ｐｏｉｎｔ  ｓｅｌｅｃｔｉｏｎ）技法を使用することができ、ＳＳＰＳは、特定の端末５５０が一つのポイント（又はｎｏｄｅ又はｃｅｌｌ）５６０から送信を受け、端末にデータを送信する送信ポイント（ｔｒａｎｓｍｉｓｓｉｏｎ  ｐｏｉｎｔ）が半静的に（ｓｅｍｉ  ｓｔａｔｉｃ）変わることを意味する。
【００９５】
図６は、新たに導入された制御チャネルであるｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を示す概念図である。
【００９６】
ＲＲＨ（ｒａｄｉｏ  ｒｅｍｏｔｅ  ｈｅａｄ）のような多重分散ノードシステムの導入によって端末／基地局別又は協力方式など、多様な通信技法の適用が可能になってリンク品質（ｌｉｎｋ  ｑｕａｌｉｔｙ）の改善が可能である。ＭＩＭＯ（ｍｕｌｔｉｐｌｅ−ｉｎｐｕｔ  ｍｕｌｔｉｐｌｅ−ｏｕｔｐｕｔ）技法及び協力通信技法（例えば、ＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ））などのような多様な通信技法を複数のノードを含む多重分散ノード環境に適用するには現在制御チャネルでは限界がある。
【００９７】
したがって、多重分散ノード環境に適用するための新たな制御チャネルの導入が要求されている。このような必要により定義された新たな制御チャネルがｅ−ＰＤＣＣＨ（ＲＲＨ−ＰＤＣＣＨ、ｘ−ＰＤＣＣＨなどを通称して以下ｅ−ＰＤＣＣＨという）である。サブフレームでｅ−ＰＤＣＣＨ６００の割当位置に既存の制御領域（以下、ＰＤＣＣＨ領域という）がでないデータ送信（以下、ＰＤＳＣＨ（ｐｈｙｓｉｃａｌ  ｄｏｗｎｌｉｎｋ  ｓｈａｒｅｄ  ｃｈａｎｎｅｌ）領域という）領域を使用することができる。
【００９８】
ｅ−ＰＤＣＣＨ６００を介して各端末別に多重分散ノードシステムのノードに対する制御情報を送信が可能になって制御領域の不足により発生した問題点を解決することができる。端末は、サブフレームでｅ−ＰＤＣＣＨ６００の有無を検出するためにブラインドデコーディング（ｂｌｉｎｄ  ｄｅｃｏｄｉｎｇ）過程を実行しなければならない。ｅ−ＰＤＣＣＨ６００は、既存のＰＤＣＣＨと同じスケジューリング動作（ＰＤＳＣＨ、ＰＵＳＣＨ制御）を実行するが、ノード（例えば、ＲＲＨ（ｒｅｍｏｔｅ  ｒａｄｉｏ  ｈｅａｄ））に接続した端末の数が増加すると、ＰＤＳＣＨ領域内により多い数のｅ−ＰＤＣＣＨ６００が割り当てられて端末が実行しなければならないブラインドデコーディング数が増加して複雑度が高まることができるとう短所が存在する。
【００９９】
ｅ−ＰＤＣＣＨ６００の具体的な割当方式においては既存にリレイを利用した送信のために新たに定義された制御領域であるＲ−ＰＤＣＣＨ構造に基づいて割当方式を定義することができる。
【０１００】
図７は、ＬＴＥで提案されたリレイ方法（ｒｅｌａｙ  ｓｃｈｅｍｅ）を示す概念図である。
【０１０１】
図７を参照すると、リレイ７５０を利用したデコード及びフォワードリレイ方法（ｄｅｃｏｄｅ−ａｎｄ−ｆｏｒｗａｒｄ  ｒｅｌａｙｉｎｇ  ｓｃｈｅｍｅ）のためにＲ−ＰＤＣＣＨ（ｒｅｌａｙ  ｐｈｙｓｉｃａｌ  ｄｏｗｎｌｉｎｋ  ｃｏｎｔｒｏｌ  ｃｈａｎｎｅｌ）を新たに定義して使用することができる。
【０１０２】
リレイ７５０と基地局７００との間のリンクであるバックホールリンク（ｂａｃｋｈａｕｌ  ｌｉｎｋ）と、リレイ７５０と端末７３０との間のアクセスリンク（ａｃｃｅｓｓ  ｌｉｎｋ）と、が同じ周波数スペクトラムで形成されることができる。バックホールリンク（ｂａｃｋｈａｕｌ  ｌｉｎｋ）とアクセスリンク（ａｃｃｅｓｓ  ｌｉｎｋ）が同じ周波数スペクトラムで形成される場合、もし、リレイ７５０がバックホールリンク（ｂａｃｋｈａｕｌ  ｌｉｎｋ）を介して基地局７００からデータを受信している時はアクセスリンクを介してリレイ７５０が端末７３０にデータを送信する動作が同時に発生することができない。したがって、バックホールリンクとアクセスリンクで同時に送信又は受信が発生しないように二つのリンクの動作を分離するための方法が必要である。
【０１０３】
バックホールリンクとアクセスリンクでの動作を分離するために、アクセスリンクを介してリレイ７５０から端末７３０にフレームを送信する時、サブフレームとサブフレームとの間に送信ギャップ（ｔｒａｎｓｍｉｓｓｉｏｎ  ｇａｐ）を生成し、このような送信ギャップでバックホールリンクを介して基地局７００からリレイ７５０にフレームが送信されるようにすることができる。
【０１０４】
送信ギャップを介して基地局７００からリレイ７５０に送信されるフレームの場合、送信デュレーション（ｄｕｒａｔｉｏｎ）が全体サブフレームデュレーション（ｆｕｌｌ  ｓｕｂｆｒａｍｅ  ｄｕｒａｔｉｏｎ）より短いため、一般的なＰＤＣＣＨを使用してＬ１／Ｌ２制御信号が基地局７００からリレイ７５０に送信されることができない。このような理由のため既存の制御チャネルでリレイ特定（ｒｅｌａｙ−ｓｐｅｃｉｆｉｃ）制御チャネルであるＲ−ＰＤＣＣＨが新たに定義されて使われる。
【０１０５】
図８は、ｒｅｌａｙのためのＲ−ＰＤＣＣＨの割当構造を示す概念図である。
【０１０６】
図８を参照すると、Ｒ−ＰＤＣＣＨは、ＰＤＣＣＨで使用するＤＣＩフォーマットと同じフォーマットを使用してダウンリンクスケジューリング割当（ｄｏｗｎｌｉｎｋ  ｓｃｈｅｄｕｌｉｎｇ  ａｓｓｉｇｎｍｅｎｔ）８００とアップリンクスケジューリング承認（ｕｐｌｉｎｋ  ｓｃｈｅｄｕｌｉｎｇ  ｇｒａｎｔｓ）８５０を送信することができる。一般的にフレームを制御領域（ｃｏｎｔｒｏｌ  ｒｅｇｉｏｎ）とデータ領域（ｄａｔａ  ｒｅｇｉｏｎ）に分割する方法によりレイテンシ（ｌａｔｅｎｃｙ）の観点で制御領域（ｃｏｎｔｒｏｌ  ｒｅｇｉｏｎ）を可能なサブフレームの一番先に送信する必要がある。
【０１０７】
同じ理由により、Ｒ−ＰＤＣＣＨのダウンリンクスケジューリング割当（ｄｏｗｎｌｉｎｋ  ｓｃｈｅｄｕｌｉｎｇ  ａｓｓｉｇｎｍｅｎｔ）８００を優先的にサブフレームの１番目のスロットに割り当てることができる。相対的にレイテンシ観点が大きく考慮されないアップリンクスケジューリング承認（ｕｐｌｉｎｋ  ｓｃｈｅｄｕｌｉｎｇ  ｇｒａｎｔ）８５０は、サブフレームの２番目のスロットに割り当てることができる。また、Ｒ−ＰＤＣＣＨは、オーバーヘッドとスケジューリング柔軟性（ｆｌｅｘｉｂｉｌｉｔｙ）観点でＲ−ＰＤＣＣＨが使用するリソース要素（ｒｅｓｏｕｒｃｅ  ｅｌｅｍｅｎｔ）が周波数軸上で小さい範囲にスパン（ｓｐａｎ）され、時間軸上で広い範囲にスパンされるように設定される。
【０１０８】
このようなＲ−ＰＤＣＣＨの構造を使用すると、端末は、時間−クリティカル（ｔｉｍｅ−ｃｒｉｔｉｃａｌ）なダウンリンクスケジューリング割当（ｄｏｗｎｌｉｎｋ  ｓｃｈｅｄｕｌｉｎｇ  ａｓｓｉｇｎｍｅｎｔ）８００を先にデコーディングすることができる。もし、アップリンクスケジューリング承認（ｕｐｌｉｎｋ  ｓｃｈｅｄｕｌｉｎｇ  ｇｒａｎｔ）８５０が存在しない場合、アップリンクスケジューリング承認８５０が位置したリソース要素をＰＤＳＣＨの送信に使用することができる。
【０１０９】
Ｒ−ＰＤＣＣＨ、ＣＲＳ（ｃｅｌｌ−ｓｐｅｃｉｆｉｃ  ｒｅｆｅｒｅｎｃｅ  ｓｉｇｎａｌ）、ＤＭＲＳ（ｄｅｍｏｄｕｌａｔｉｏｎ  ｒｅｆｅｒｅｎｃｅ  ｓｉｇｎａｌ）を除いた領域は、ＰＤＳＣＨ（ｐｈｙｓｉｃａｌ  ｄｏｗｎｌｉｎｋ  ｓｈａｒｅｄ  ｃｈａｎｎｅｌ）を送信するために使用することができる。ＰＤＳＣＨの送信方法は、送信モード、ＤＣＩフォーマット、及びＲ−ＰＤＣＣＨがいずれの参照信号を介して復調されるかによって決定されることができる。
【０１１０】
以下の表６は、送信モード、ＤＣＩフォーマット、及びＲ−ＰＤＣＣＨによるＰＤＳＣＨの送信方法を示す。
【０１１１】
【表６】
0005703398.tif 000012
【０１１２】
表６を参照すると、送信モード（ｔｒａｎｓｍｉｓｓｉｏｎ  ｍｏｄｅ）、ＤＣＩフォーマット、及びＲ−ＰＤＣＣＨ復調にＤＭ−ＲＳ又はＣＲＳが使われたかどうかによってＰＤＳＣＨの送信方法が決定されることができる。
【０１１３】
送信モード（ｔｒａｎｓｍｉｓｓｉｏｎ  ｍｏｄｅ）は、いずれのマルチ−アンテナ送信方法（ｍｕｌｔｉ−ａｎｔｅｎｎａ  ｔｒａｎｓｍｉｓｓｉｏｎ  ｓｃｈｅｍｅ）を使用するかに対することであり、各送信モード（ｔｒａｎｓｍｉｓｓｉｏｎ  ｍｏｄｅ）による送信方式は、例えば、下記のような方式になることができる。
【０１１４】
送信モード１（Ｔｒａｎｓｍｉｓｓｉｏｎ  ｍｏｄｅ１）：単一−アンテナ送信（Ｓｉｎｇｌｅ−ａｎｔｅｎｎａ  ｔｒａｎｓｍｉｓｓｉｏｎ）
【０１１５】
送信モード２（Ｔｒａｎｓｍｉｓｓｉｏｎ  ｍｏｄｅ２）：送信ダイバーシティ（Ｔｒａｎｓｍｉｔ  ｄｉｖｅｒｓｉｔｙ）
【０１１６】
送信モード３（Ｔｒａｎｓｍｉｓｓｉｏｎ  ｍｏｄｅ３）：一つのレイヤ以上である場合に開ループコードブックベースのプリコーディング、ランク１送信である場合に送信ダイバーシティ（Ｏｐｅｎ−ｌｏｏｐ  ｃｏｄｅｂｏｏｋ−ｂａｓｅｄ  ｐｒｅｃｏｄｉｎｇ  ｉｎ  ｔｈｅ  ｃａｓｅ  ｏｆ  ｍｏｒｅ  ｔｈａｎ  ｏｎｅ  ｌａｙｅｒ、ｔｒａｎｓｍｉｔ  ｄｉｖｅｒｓｉｔｙ  ｉｎ  ｔｈｅ  ｃａｓｅ  ｏｆ  ｒａｎｋ−ｏｎ  ｅｔｒａｎｓｍｉｓｓｉｏｎ）
【０１１７】
送信モード４（Ｔｒａｎｓｍｉｓｓｉｏｎ  ｍｏｄｅ４）：閉ループコードブックベースのプリコーディング（Ｃｌｏｓｅｄ−ｌｏｏｐ  ｃｏｄｅｂｏｏｋ−ｂａｓｅｄ  ｐｒｅｃｏｄｉｎｇ）
【０１１８】
送信モード５（Ｔｒａｎｓｍｉｓｓｉｏｎ  ｍｏｄｅ５）：送信モード４のマルチユーザーＭＩＭＯバージョン（Ｍｕｌｔｉ−ｕｓｅｒ−ＭＩＭＯ  ｖｅｒｓｉｏｎ  ｏｆ  ｔｒａｎｓｍｉｓｓｉｏｎ  ｍｏｄｅ４）
【０１１９】
送信モード６（Ｔｒａｎｓｍｉｓｓｉｏｎ  ｍｏｄｅ６）：単一レイヤ送信に制限された閉ループコードブック−ベースのプリコーディングの特別ケース（Ｓｐｅｃｉａｌ  ｃａｓｅ  ｏｆ  ｃｌｏｓｅｄ−ｌｏｏｐ  ｃｏｄｅｂｏｏｋ−ｂａｓｅｄ  ｐｒｅｃｏｄｉｎｇ  ｌｉｍｉｔｅｄ  ｔｏ  ｓｉｎｇｌｅ−ｌａｙｅｒ  ｔｒａｎｓｍｉｓｓｉｏｎ）
【０１２０】
送信モード７（Ｔｒａｎｓｍｉｓｓｉｏｎ  ｍｏｄｅ７）：リリース８の単一レイヤ送信のみをサポートするノンコードブックベースのプリコーディング（Ｒｅｌｅａｓｅ−８  ｎｏｎ−ｃｏｄｅｂｏｏｋ−ｂａｓｅｄ  ｐｒｅｃｏｄｉｎｇ  ｓｕｐｐｏｒｔｉｎｇ  ｏｎｌｙ  ｓｉｎｇｌｅ−ｌａｙｅｒ  ｔｒａｎｓｍｉｓｓｉｏｎ）
【０１２１】
送信モード８（Ｔｒａｎｓｍｉｓｓｉｏｎ  ｍｏｄｅ８）：リリース９の二つのレイヤをサポートするノンコードブック−ベースのプリコーディング（Ｒｅｌｅａｓｅ−９  ｎｏｎ−ｃｏｄｅｂｏｏｋ−ｂａｓｅｄ  ｐｒｅｃｏｄｉｎｇ  ｓｕｐｐｏｒｔｉｎｇ  ｕｐ  ｔｏ  ｔｗｏ  ｌａｙｅｒｓ）
【０１２２】
送信モード９（Ｔｒａｎｓｍｉｓｓｉｏｎ  ｍｏｄｅ９）：リリース１０の８個のレイヤをサポートするノンコードブックベースのプリコーディング（Ｒｅｌｅａｓｅ−１０  ｎｏｎ−ｃｏｄｅｂｏｏｋ−ｂａｓｅｄ  ｐｒｅｃｏｄｉｎｇ  ｓｕｐｐｏｒｔｉｎｇ  ｕｐ  ｔｏ  ｅｉｇｈｔ  ｌａｙｅｒｓ）
【０１２３】
Ｒ−ＰＤＣＣＨを送信するための送信モードとして、送信モード８と送信モード９が使われることができる。
【０１２４】
ＤＣＩ（ｄｏｗｎｌｉｎｋ  ｃｏｎｔｒｏｌ  ｉｎｆｏｒｍａｔｉｏｎ）は、複数のフォーマットを有することができ、複数のＤＣＩフォーマットのうち、ＰＤＳＣＨの送信に使われるＤＣＩフォーマットは、送信モードが８の場合、ＤＣＩフォーマット１ＡとＤＣＩフォーマット２Ｂを有することができ、送信モードが９の場合、ＤＣＩフォーマット１ＡとＤＣＩフォーマット２Ｃを有することができる。多様なＤＣＩフォーマットＤの詳細な内容は、３ＧＰＰ  ＴＳ  ３６．２１３  Ｖ１０．３．０“３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  １０）”に詳細に説明されている。
【０１２５】
例えば、送信モードが８であり、ＤＣＩフォーマットが１Ａであり、Ｒ−ＰＤＣＣＨの復調に使われた参照信号が端末−特定参照信号（ＵＥ−ｓｐｅｃｉｆｉｃ  ｒｅｆｅｒｅｎｃｅ  ｓｉｇｎａｌ、ＤＭ−ＲＳ）である場合、ＰＤＳＣＨの送信に単一アンテナ（ポート７）を使用し、スクランブリングＩＤ（ＳＣＩＤ）は０を使用する。反面、Ｒ−ＰＤＣＣＨの復調に使われた参照信号がＣＲＳであると、ＰＢＣＨ（ｐｈｙｓｉｃａｌ  ｂｒｏａｄｃａｓｔ  ｃｈａｎｎｅｌ）送信アンテナが１個である場合にのみポート０を使用し、ＰＢＣＨ送信アンテナが２個、４個である場合には送信（Ｔｘ）ダイバーシティモードに転換してポート０〜１、ポート０〜３の両方ともが使われる。
【０１２６】
図９及び図１０は、サブフレームでｅ−ＰＤＣＣＨを割り当てる方法を示す概念図である。
【０１２７】
ｅ−ＰＤＣＣＨは、ｅ−ＰＤＣＣＨが送信されるリソース領域内で送信されるＤＭ（ｄｅｍｏｄｕｌａｔｉｏｎ）−ＲＳ（ｒｅｆｅｒｅｎｃｅ  ｓｉｇｎａｌ）により復調される制御情報を送信するチャネルになることができる。
【０１２８】
図９を参照すると、ｅ−ＰＤＣＣＨがサブフレーム内の１番目のスロット９１０と２番目のスロット９２０の両方ともに構成されることができ、サブフレームの１番目のスロット９１０にＤＬ割当（ｄｏｗｎｌｉｎｋ  ｓｃｈｅｄｕｌｉｎｇ  ａｓｓｉｇｎｍｅｎｔ）９５０を割り当て、２番目のスロット９２０にＵＬ承認（ｕｐｌｉｎｋ  ｓｃｈｅｄｕｌｉｎｇ  ｇｒａｎｔ）９６０を割り当てることができる。ここで、ＤＬ割当９５０は、端末のダウンリンク制御情報を送信するＤＣＩフォーマット（例：ＤＣＩフォーマット１、１Ａ、１Ｂ、１Ｃ、１Ｄ、２、２Ａ等）を意味し、ＵＬ承認９６０は、端末のアップリンク制御情報であるＤＣＩフォーマット（例：ＤＣＩフォーマット０、４）を意味する。
【０１２９】
サブフレーム内のスロット別９１０、９２０にＤＬ割当９５０とＵＬ承認９６０が分かれて送信されるため、端末は、サブフレームの１番目のスロット９１０内で探索領域を構成してＤＬ割当９５０を探すためのブラインドデコーディングを実行し、サブフレームの２番目のスロット９２０内で構成された探索領域でＵＬ承認９６０を探すためのブラインドデコーディングを実行することで、ＤＬ割当９５０とＵＬ承認９６０を復調することができる。
【０１３０】
図１０を参照すると、ｅ−ＰＤＣＣＨを割り当てるとき、ｅ−ＰＤＣＣＨがサブフレーム内の１番目のスロット１０１０にのみ構成される場合を仮定すると、サブフレームの１番目のスロット１０１０にＤＬ割当（ｄｏｗｎｌｉｎｋ  ｓｃｈｅｄｕｌｉｎｇ  ａｓｓｉｇｎｍｅｎｔ）１０５０とＵＬ承認（ｕｐｌｉｎｋ  ｓｃｈｅｄｕｌｉｎｇ  ｇｒａｎｔ）１０６０を同時に割り当てることができる。したがって、１番目のスロット１０１０のｅ−ＰＤＣＣＨにはＤＬ割当１０５０とＵＬ承認１０６０が同時に存在するようになり、端末は、サブフレームの１番目のスロット１０１０でのみＤＬ割当１０５０とＵＬ承認１０６０を探すためのブラインドデコーディングを実行することができる。
【０１３１】
一般的な無線通信規格では基地局で同期化信号（ＳＳ）を端末に送信することで、現在端末がいずれのセルにあるかに対する情報である物理的セル識別子（ｐｈｙｓｉｃａｌ  ｃｅｌｌ  ＩＤ、ＰＣＩ）を端末に伝達することができる。このように端末に伝達されたＰＣＩは、端末が多様なＰＨＹチャネル又は信号（例えば、ＰＢＣＨ、ＰＤＣＣＨ、ＰＣＦＩＣＨ、ｄｏｗｎｌｉｎｋ  ＲＳ（ＣＲＳ、ＣＳＩ−ＲＳ、ＤＭ−ＲＳ、ＰＲＳ）  ｉｎ  ＬＴＥ−Ａ）を受信し、又はＰＨＹチャネル又は信号を送信（例えば、ＰＵＣＣＨやｕｐｌｉｎｋ  ＲＳ（ＳＲＳ、ＤＭ−ＲＳ）  ｉｎ  ＬＴＥ−Ａ）するために使用するように規定されている（ＩＥＥＥ８０２．１６ｍではＤＲＵパーミュテイション規則（ＤＲＵ  ｐｅｒｍｕｔａｔｉｏｎ  ｒｕｌｅ）がＰＣＩにより決定される）。
【０１３２】
ネスティド仮想セルシステム（ｎｅｓｔｅｄ  ｖｉｒｔｕａｌ  ｃｅｌｌ  ｓｙｓｔｅｍ；ＮＶＣＳ）は、単一セル多重分散ノードシステムでセル内の一部ノードが送信／受信に利用する一部物理信号の生成に関与するセル識別子（又は、仮想セル識別子（ｖｉｒｔｕａｌ  ｃｅｌｌ  ＩＤ；ＶＣＩ）をセル内の全てのノードが共通的に使用するＰＣＩ（又は、プライマリ及びセカンダリＳＳ（ｐｒｉｍａｒｙ＆ｓｅｃｏｎｄａｒｙ  ＳＳ）で使用するＰＣＩ）と異なって設定するシステムを意味する。
【０１３３】
以下、本発明の実施例では単一セル多重分散ノードシステムでセル内の一部ノードが送信／受信に利用する一部物理信号の生成に関与するセル識別子（ｃｅｌｌ  ＩＤ）を仮想セル識別子（ｖｉｒｔｕａｌ  ｃｅｌｌ  ＩＤ）と定義して使用する。
【０１３４】
図１１は、ネスティド仮想セルシステム（ｎｅｓｔｅｄ  ｖｉｒｔｕａｌ  ｃｅｌｌ  ｓｙｓｔｅｍ）を示す概念図である。
【０１３５】
図１１を参照すると、全ての６個のノード１１１０、１１２０、１１３０、１１４０、１１５０、１１６０は、セル（ｃｅｌｌ）Ａ１１００に位置する。各ノードは、セルＡ１１００の物理的セル識別子（ｐｈｙｓｉｃａｌ  ｃｅｌｌ  ＩＤ；ＰＣＩ）である共通のＰＣＩ‘Ａ’で生成したプライマリＳＳ（ｐｒｉｍａｒｙ  ｓｙｎｃｈｒｏｎｉｚａｔｉｏｎ  ｓｉｇｎａｌ）とセカンダリＳＳ（ｓｅｃｏｎｄａｒｙ  ＳＳ）を使用する。したがって、端末がネスティド仮想セルシステム（ｎｅｓｔｅｄ  ｖｉｒｔｕａｌ  ｃｅｌｌ  ｓｙｓｔｅｍ）に入った時、端末とノードの相対的な位置に関係なしに端末１１８０、１１９０は、自分が現在セルＡ１１００の位置にあると認識するようになる。このような場合、端末１１８０、１１９０は、セルＡ１１００内に含まれているノードとノードとの間では既存のセル間で定義された動作であるセル選択／再選択、ハンドオーバ（ｃｅｌｌ  ｓｅｌｅｃｔｉｏｎ／ｒｅ−ｓｅｌｅｃｔｉｏｎ、ｈａｎｄｏｖｅｒ）などのような動作が不可能である。
【０１３６】
しかし、多重分散ノードシステムでは一つのセル内に含まれている各ノード間でもセル間に定義された動作がノード間に新たに定義されて使われる必要がある。したがって、同じセルＡ１１００に含まれている６個のノード１１１０、１１２０、１１３０、１１４０、１１５０、１１６０が互いに異なる仮想セル識別子（ｖｉｒｔｕａｌ  ｃｅｌｌ  ＩＤ）を使用することによって、セル間に実行される動作がノード１１１０、１１２０、１１３０、１１４０、１１５０、１１６０間でも実行されるようにすることができる。
【０１３７】
図１１のようにセルＡ１１００にはノード６個（ノードＢ〜ノードＧ）１１１０、１１２０、１１３０、１１４０、１１５０、１１６０が含まれており、各々のノードは、仮想セル識別子を使用して一部物理信号（例えば、ＣＳＩ−ＲＳ）を生成し、生成された物理信号を端末１１８０、１１９０に送信することができる。例えば、ＣＳＩ−ＲＳ生成に関与するノードを指示するために仮想セル識別子を使用する場合、基地局は、端末１１８０に特定ノードに対するＣＳＩ（ｃｈａｎｎｅｌ  ｓｔａｔｅ  ｉｎｆｏｒｍａｔｉｏｎ）フィードバックを要求しながら該当ノードが使用する仮想セル識別子を知らせる。基地局が端末とノード‘Ｂ’１１１０間のチャネル状態を知りたい場合、基地局は、端末１１８０に仮想セル識別子‘Ｂ’を有するノード１１１０に対するＣＳＩ（ｃｈａｎｎｅｌ  ｓｔａｔｅ  ｉｎｆｏｔｍａｔｉｏｎ）フィードバックを要求することができる。
【０１３８】
同様に、端末１１９０に対してＣｏＭＰ送信をするために端末１１９０にＣｏＭＰに参加するノード１１４０、１１５０に対するＣＳＩフィードバックを要求する時、ＣｏＭＰに参加するノード（ＣｏＭＰ  ｍｅａｓｕｒｅｍｅｎｔ  ｓｅｔ  ｏｒ  ＣｏＭＰ  ｒｅｐｏｒｔｉｎｇ  ｓｅｔ）１１４０、１１５０に対する仮想セル識別子Ｅ、Ｆを端末１１９０に特定して知らせることができる。
【０１３９】
例えば、端末１１９０に対してノード１１４０、ノード１１５０がＣｏＭＰを実行する場合、基地局は、ＲＲＣメッセージを介してＣｏＭＰを実行するノードに対する指示情報である仮想セル識別子‘Ｅ’、仮想セル識別子‘Ｆ’を端末１１９０に送信することができる。ＣｏＭＰを利用した送信だけでなく、多様なノードベースの動作が各ノードの仮想セル識別子に基づいて実行されることができる。
【０１４０】
例えば、端末１１８０、１１９０がいずれのノード１１１０、１１２０、１１３０、１１４０、１１５０、１１６０近くにあるかを把握するために、基地局が端末にノード別１１１０、１１２０、１１３０、１１４０、１１５０、１１６０に区分された特定信号を送信し、それによる測定値のフィードバックを受けようとする時も各ノード１１１０、１１２０、１１３０、１１４０、１１５０、１１６０が使用する仮想セル識別子を端末１１８０、１１９０に知らせる必要がある。
【０１４１】
即ち、多重分散ノードシステムでノードを基準に定義された仮想セル識別子に基づいて各ノードと端末との間の動作を定義することができる。本発明の実施例では下記のような仮想セル識別子に基づく端末とノードとの間の動作に対して開示する。
【０１４２】
（１）ＣＳＩ−ＲＳ情報要素に仮想セル識別子情報を追加することで、多重分散ノードシステムでＣＳＩ−ＲＳの生成に使われたノード情報を送信する方法
【０１４３】
（２）多重分散ノードシステムの基地局で端末にＲＲＣメッセージを介してｅ−ＰＤＣＣＨ設定情報を送信時、設定情報にＰＰＣＩ（ｐｒｉｍａｒｙ  ｐｈｙｓｉｃａｌ  ｃｅｌｌ  ＩＤ）を含んで送信する方法
【０１４４】
（３）多重分散ノードシステムのノードで端末に送信されるＣＳＩ−ＲＳの設定情報要素（ｃｏｎｆｉｇｕｒａｔｉｏｎ  ｉｎｆｏｒｍａｔｉｏｎ  ｅｌｅｍｅｎｔ）を介してプライマリ物理的セル識別子（ｐｒｉｍａｒｙ  ｐｈｙｓｉｃａｌ  ｃｅｌｌ  ＩＤ）を潜在的（ｉｍｐｌｉｃｉｔ）又は明示的（ｅｘｐｌｉｃｉｔ）に送信する方法。
【０１４５】
（４）多重分散ノードシステムの基地局で設定され、ノードを介して送信されたプライマリＣＳＩ−ＲＳの仮想セル識別子情報に基づいてｅ−ＰＤＣＣＨ復調、ＰＤＳＣＨ復調、ＵＥ−特定ＲＳ復調、ＣｏＭＰに対するサービングポイント指示（ｓｅｒｖｉｎｇ  ｐｏｉｎｔ  ｉｎｄｉｃａｔｉｏｎ  ｆｏｒ  ＣｏＭＰ）などを実行する方法などに対して開示する。
【０１４６】
以下、本発明の実施例では、説明の便宜上、多重分散ノードシステムを仮定して説明する。しかし、本発明の実施例は、多重セルシステムのＣｏＭＰのように複数のノード又は複数の基地局から端末がデータを受信する場合にも適用されることができ、このような実施例も本発明の権利範囲に含まれる。
【０１４７】
以下、本発明の実施例では基地局が端末にノードの仮想セル識別子、プライマリ物理的セル識別子、プライマリＣＳＩ−ＲＳを送信するために、ＣＳＩ−ＲＳ設定要素又はｅ−ＰＤＣＣＨ設定情報、ＰｈｙｓｉｃａｌＣｏｎｆｉｇＤｅｄｉｃａｔｅｄ  ＩＥのようなＲＲＣメッセージを使用する方法に対して開示する。しかし、基地局が端末にノードの仮想セル識別子、プライマリ物理的セル識別子、プライマリＣＳＩ−ＲＳを送信するために、ＲＲＣメッセージでない他の送信フォーマットを使用することができ、このような実施例も本発明の権利範囲に含まれる。
【０１４８】
図１２は、本発明の実施例に係るＣＳＩ−ＲＳ情報要素を介して仮想セル識別子を送信する方法を示す概念図である。
【０１４９】
図１２を参照すると、多重分散ノードシステムでは一つの基地局１２００に複数個のノード１２１０、１２２０、１２３０、１２４０、１２５０、１２６０が存在することができる。端末１２８０は、多重分散ノードシステムに存在する少なくとも一つのノードからＣＳＩ−ＲＳを受信することができる。
【０１５０】
例えば、端末１２８０は、ノード１２１０とノード１２２０のうち少なくとも一つのノードからＣＳＩ−ＲＳを受信することができる。端末は、受信したＣＳＩ−ＲＳ設定情報要素（ＣＳＩ情報要素、ＣＳＩ−ＲＳＩＥ又はＣＳＩ−ＲＳ設定情報も同じ意味で使用）に含まれている仮想セル識別子情報に基づいて受信されたＣＳＩ−ＲＳがノード１２１０とノード１２２０のうちいずれのノードから送信されたＣＳＩ−ＲＳであるかを知ることができる。
【０１５１】
以下の表７は、仮想セル識別子情報を含むＣＳＩ−ＲＳ設定情報要素を示す。
【０１５２】
【表７】
0005703398.tif 000013
【０１５３】
表７を参照すると、仮想セル識別子情報を含むセル識別子フィールドをＣＳＩ−ＲＳ設定情報要素（又は、ＣＳＩ情報要素、ＣＳＩ  ＩＥ）に追加することができる。端末１２８０は、セル識別子フィールドに基づいて受信したＣＳＩ−ＲＳがノード１２１０とノード１２２０のうちいずれのノードから送信されたＣＳＩ−ＲＳであるかに対する情報を知ることができる。例えば、ＣＳＩ−ＲＳ情報要素のセル識別子フィールドに基づいて端末１２８０は、受信したＣＳＩ−ＲＳがノード１２２０から送信されたものであることを知ることができる。このような場合、端末１２８０は、仮想セル識別子情報に基づいてノード１２２０に端末１２８０とノード１２２０との間のチャネル情報をフィードバックすることができる。他の例として、端末がＣｏＭＰを実行する時、ノードから送信された仮想セル識別子情報に基づいて各ノード別チャネル情報を取得することができる。
【０１５４】
表１で示すセル識別子フィールドは、ノードの仮想セル識別子を送信するためのフィールドの例示に過ぎず、他の方式により定義されてもよい。例えば、“３ＧＰＰ  ＴＳ  ３６．３３１  Ｖ１０．２．０：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １０）”で定義されたＰｈｙｓＣｅｌｌＩｄ  ＩＥに代替し、又は新たなセル識別子ＩＥ（ｃｅｌｌ  ｉｄ  ＩＥ）を定義（例えば、仮想セル識別子（ｖｉｒｔｕａｌ  ｃｅｌｌｉｄ））することができる。
【０１５５】
もし、セル識別子を介して送信された仮想セル識別子が既存に使用した同期化信号を介して物理的セル識別子（ＰＣＩ）と同じ場合、セル識別子フィールドを介して送信される仮想セル識別子情報は送信されない。このとき、既存のＰＣＩに該当する値を利用して前述した仮想セル識別子に基づく動作を実行することができる。
【０１５６】
図１３は、本発明の実施例に係るｅ−ＰＤＣＣＨを送信する仮想セル識別子を情報を送信する方法を示す概念図である。
【０１５７】
単一セル多重分散ノードシステムでは制御チャネルの不足によりｅ−ＰＤＣＣＨの導入が考慮されている。ｅ−ＰＤＣＣＨには端末特定制御情報が含まれることができ、既存ＰＤＣＣＨと違ってｅ−ＰＤＣＣＨを介して送信される制御情報は、セル−特定ＲＳ（ｃｅｌｌ−ｓｐｅｃｉｆｉｃ  ＲＳ）の代わりに端末−特定ＲＳ（ＵＥ−ｓｐｅｃｉｆｉｃ  ＲＳ（又は、ＤＭ（ｄｅｍｏｄｕｌａｔｉｏｎ）−ＲＳ）を復調のための参照信号（ｒｅｆｅｒｅｎｃｅ  ｓｉｇｎａｌ）として使われることができる。
【０１５８】
単一セル多重分散ノードシステムにおいて、ｅ−ＰＤＣＣＨを介して各ノード別に互いに異なる端末に制御情報を送信することができる。即ち、多重分散ノードシステムをＮＶＣＳ（ｎｅｓｔｅｄ  ｖｉｒｔｕａｌ  ｃｅｌｌ  ｓｙｓｔｅｍ）で動作させる場合、セル内に複数のノード１３１０、１３２０、１３３０、１３４０、１３５０、１３６０の動作が各ノードの仮想セル識別子に基づいて区分されることができる。各ノードでは仮想セル識別子に基づいてｅ−ＰＤＣＣＨを介して端末１３８０に個別的な制御情報を送信することができる。
【０１５９】
基地局１３００は、端末１３８０にＲＲＣメッセージのような送信フォーマットを使用してＰＰＣＩ（ｐｒｉｍａｒｙ  ｐｈｙｓｉｃａｌ  ｃｅｌｌ  ＩＤ）を送信することができる。ＰＰＣＩ（ｐｒｉｍａｒｙ  ｐｈｙｓｉｃａｌ  ｃｅｌｌ  ＩＤ）は、端末１３８０が受信しなければならないデータを送信するノードを指示する情報であり、端末が受信しなければならない制御情報をｅ−ＰＤＣＣＨを介して送信するノードを区分するために使われることができる。
【０１６０】
端末１３８０は、ＰＰＣＩに基づいて受信しなければならない制御情報をいずれのノードから受信するかに対して情報を知ることができる。以下、本発明の実施例では、基地局１３００から送信されたｅ−ＰＤＣＣＨの設定情報に基づいて、特定のノードが送信したｅ−ＰＤＤＣＨを介した制御情報を端末が受信する方法に対して開示する。
【０１６１】
基地局１３００でプライマリ物理的セル識別子を送信するためには、例えば、ＲＲＣメッセージを使用することができる。以下、本発明の実施例では、ＲＲＣメッセージとしてＣＳＩ−ＲＳ設定要素又はｅ−ＰＤＣＣＨ設定情報、ＰｈｙｓｉｃａｌＣｏｎｆｉｇＤｅｄｉｃａｔｅｄ  ＩＥを使用する方法に対して開示するが、これに限定されるものではなく、他のＲＲＣメッセージを使用することができる。また、プライマリ物理的セル識別子（ｐｒｉｍａｒｙ  ｐｈｙｓｉｃａｌ  ｃｅｌｌ  ＩＤ）を送信するために使われるＲＲＣメッセージも例示に過ぎず、他の送信方法を介してプライマリ物理的セル識別子（ｐｒｉｍａｒｙ  ｐｈｙｓｉｃａｌ  ｃｅｌｌ  ＩＤ）を送信することも可能である。
【０１６２】
図１３を参照すると、多重分散ノードシステムでは一つの基地局１３００に複数個のノード１３１０、１３２０、１３３０、１３４０、１３５０、１３６０が存在することができる。端末１３８０は、多重分散ノードシステムに存在する少なくとも一つのノードからｅ−ＰＤＣＣＨを介して制御情報を受信することができる。
【０１６３】
端末１３８０は、ノードが送信する少なくとも一つのｅ−ＰＤＣＣＨを介した制御情報のうちいずれのノードが送信するｅ−ＰＤＣＣＨを介した制御情報を受信するかに対して決定するために、ＰＰＣＩを使用することができる。端末は、ＰＰＣＩに該当するノードが送信するｅ−ＰＤＣＣＨを介した制御情報を受信することができる。
【０１６４】
基地局１３００は、下記のような方法を利用してＰＰＣＩ（ｐｒｉｍａｒｙ  ｐｈｙｓｉｃａｌ  ｃｅｌｌ  ＩＤ）を端末１３８０に送信することができる。
【０１６５】
１）基地局１３００が端末１３８０にｅ−ＰＤＣＣＨ設定のための所定のメッセージ（例えば、ＲＲＣ  ｍｅｓｓａｇｅ）にＰＰＣＩを含ませて送信する方法
【０１６６】
２）ノードで送信されるＣＳＩ−ＲＳを介して端末に明示的又は潜在的にＰＰＣＩを指示する方法
【０１６７】
まず、基地局１３００が端末１３８０にｅ−ＰＤＣＣＨ設定のための所定のメッセージ（例えば、ＲＲＣメッセージ）にＰＰＣＩを含ませて送信する方法に対して開示する。互いに異なる仮想セル識別子を有する複数個のノード１３１０、１３２０、１３３０から端末１３８０にｅ−ＰＤＣＣＨを介して制御情報が各々送信されることができる。このような場合、端末１３８０は、いずれのノードが送信したｅ−ＰＤＣＣＨを介した制御情報を受信するかどうかに対してＰＰＣＩに基づいて決定することができる。端末１３８０は、ＰＰＣＩ（ｐｒｉｍａｒｙ  ｐｈｙｓｉｃａｌ  ｃｅｌｌ  ＩＤ）と同じ仮想セル識別子を有するノードで送信された制御情報を受信することができる。
【０１６８】
このようなＰＰＣＩは、基地局１３００から端末１３８０に送信されることができる。例えば、基地局１３００は、ｅ−ＰＤＣＣＨのインターリービング可否、探索領域位置情報、探索領域大きさ情報などのようなｅ−ＰＤＣＣＨ設定情報を端末１３８０に送信する時に使用するＲＲＣメッセージを利用して端末１３８０にＰＰＣＩを送信することができる。即ち、ｅ−ＰＤＣＣＨの設定情報にノード情報であるＰＰＣＩフィールドが含まれて端末に送信されることができる。
【０１６９】
次に、ノードで送信されるＣＳＩ−ＲＳを介して端末に明示的又は潜在的にＰＰＣＩを指示する方法を使用することができ、下記のように二つの方法を使用することができる。ＰＰＣＩを指示するために使われるＣＳＩ−ＲＳをプライマリＣＳＩ−ＲＳということができる。
【０１７０】
−ＣＳＩ−ＲＳ設定情報要素に新たなフィールド（例えば、プライマリＰＣＩの指示子（ｉｎｄｉｃａｔｉｏｎ  ｏｆ  ｐｒｉｍａｒｙ  ＰＣＩ））を追加して端末に明示的にＰＰＣＩと同じ仮想セル識別子を有するＣＳＩ−ＲＳを指示する方法
【０１７１】
−端末が受信した複数個のＣＳＩ−ＲＳのうち特定の順序に位置したＣＳＩ−ＲＳに基づいて潜在的に端末が該当ＣＳＩ−ＲＳの仮想セル識別子をＰＰＣＩで推定する方法。
【０１７２】
ＣＳＩ−ＲＳ設定情報要素に新たなフィールド（例えば、プライマリＰＣＩの指示子）を追加して端末に明示的にＰＰＣＩと同じ仮想セル識別子を有するＣＳＩ−ＲＳを指示する方法は、例えば、以下の表２のようなＣＳＩ−ＲＳ設定情報要素を介してＲＲＣメッセージで送信されることができる。
【０１７３】
以下の表８は、ＣＳＩ−ＲＳ設定情報要素を介して複数の端末にＰＰＣＩを送信する方法を示す。
【０１７４】
【表８】
0005703398.tif 000014
【０１７５】
表８を参照すると、基地局１３００は、ＣＳＩ−ＲＳ設定情報要素を介して複数のＣＳＩ−ＲＳパターンに対する情報を端末１３８０に送信することができる。ＣＳＩ−ＲＳパターンは、互いに異なるｖｉｒｔｕａｌ  ｃｅｌｌ  ＩＤから送信されるＣＳＩ−ＲＳを区分するために使われることができ、各々のＣＳＩ−ＲＳパターンに対してＣＳＩ−ＲＳ設定情報要素が設定されることができる。
【０１７６】
例えば、ノード１３１０とノード１３２０から各々ＣＳＩ−ＲＳが送信される場合、送信されたＣＳＩ−ＲＳ設定情報要素のセル識別子フィールドに基づいてＣＳＩ−ＲＳを送信した各々のノード情報を指示することができる。また、プライマリＰＣＩの指示子を介していずれのノードがプライマリ物理的セル識別子（ｐｒｉｍａｒｙ  ｐｈｙｓｉｃａｌ  ｃｅｌｌ  ＩＤ）に該当するノードであるかを知ることができる。例えば、ノード１３１０とノード１３２０から各々ＣＳＩ−ＲＳ設定情報要素を受信し、ノード１３１０から送信されたＣＳＩ−ＲＳ設定情報要素のプライマリＰＣＩの指示子フィールドがオン（ｏｎ）した場合、端末１３８０のＰＰＣＩは、ノード１３１０ということができ、端末１３８０は、ノード１３１０が送信するｅ−ＰＤＣＣＨを介した制御情報を受信することができる。
【０１７７】
他の例として、ノード１３１０とノード１３２０がＣｏＭＰを利用した送信を実行する場合、互いに異なるノードで利用される参照信号として互いに異なる仮想セル識別子を有する複数のＣＳＩ−ＲＳが一つのサブフレームで送信されることができる。このような場合、ＲＲＣメッセージのＣＳＩ−ＲＳ設定情報を介して複数のＣＳＩ−ＲＳパターンを設定することができる。
【０１７８】
端末１３８０は、ＣＳＩ−ＲＳ設定情報に基づいて受信した複数のＣＳＩ−ＲＳの仮想セル識別子情報を知ることができる。即ち、表２のＣＳＩ−ＲＳ設定ＩＥに含まれているセル識別子フィールドに基づいて受信したＣＳＩ−ＲＳの仮想セル識別子情報を知ることができる。また、ＣＳＩ−ＲＳ設定情報に含まれているプライマリＰＣＩの指示子に基づいていずれのＣＳＩ−ＲＳの仮想セル識別子がプライマリ物理的セル識別子と同じかどうかを端末１３８０に提供することができる。
【０１７９】
端末１３８０は、受信したＣＳＩ−ＲＳ設定情報要素に基づいてｅ−ＰＤＣＣＨを受信するためのＰＰＣＩを決定するために、以下のような動作のうち一つを実行することができる。
【０１８０】
（１）ＣＳＩ−ＲＳ設定情報要素に複数のセル識別子フィールドが存在する場合、プライマリ物理的セル識別子の指示によりＰＰＣＩとして指示された仮想セル識別子の値を有するノードからｅ−ＰＤＣＣＨを受信することができる。
【０１８１】
（２）ＣＳＩ−ＲＳ設定情報要素に一つのセル識別子フィールドのみが存在する場合、該当仮想セル識別子を有するノードからｅ−ＰＤＣＣＨを受信することができる。このような場合、いずれのセル識別子がＰＰＣＩであるかどうかを示すプライマリ物理的セル識別子の指示子フィールドは存在しなくてもよい。
【０１８２】
（３）ＣＳＩ−ＲＳ設定情報要素にセル識別子フィールドの両方ともが省略された場合、ＳＳを介して取得した物理的セル識別子（ｐｈｙｓｉｃａｌ  ｃｅｌｌ  ＩＤ；ＰＣＩ）に基づいてｅ−ＰＤＣＣＨを受信することができる。
【０１８３】
例えば、端末１３８０が互いに異なる仮想セル識別子を有する複数のＣＳＩ−ＲＳを受信した場合、端末は、ＲＲＣメッセージであるＣＳＩ−ＲＳの設定情報要素のプライマリ物理的セル識別子の指示子に基づいていずれの仮想セル識別子がプライマリ物理的セル識別子であるかどうかを判断することができる。端末１３８０は、ＣＳＩ−ＲＳの設定情報要素により算出されたプライマリ物理的セル識別子に該当する仮想セル識別子を有するノードが送信するｅ−ＰＤＣＣＨを介した制御情報を受信することができる。
【０１８４】
本発明の他の実施例によると、表２のようにＲＲＣメッセージに新たに定義されたフィールド（プライマリ物理的セル識別子、ｉｎｄｉｃａｔｉｏｎ  ｏｆ  ｐｒｉｍａｒｙ  ＰＣＩ）を介して明示的に仮想セル識別子に対する情報を送信せずに潜在的（ｉｍｐｌｉｃｉｔ）に仮想セル識別子に対する情報を端末が推定するようにすることができる。
【０１８５】
図１４は、本発明の実施例に係る潜在的に仮想セル識別子に対する情報を端末が推定するようにする方法を説明するための概念図である。
【０１８６】
図１４を参照すると、端末１４８０は、互いに異なる仮想セル識別子を有する複数個のＣＳＩ−ＲＳを受信することができる。
【０１８７】
例えば、端末１４８０は、第１のノード１４１０から送信された第１のＣＳＩ−ＲＳパターンと第２のノード１４２０から送信された第２のＣＳＩ−ＲＳパターンが含まれているサブフレームを受信することができる。ＣＳＩ−ＲＳパターンは、特定の仮想セル識別子を有するＣＳＩ−ＲＳの集合を意味する。
【０１８８】
端末１４８０は、第１のノード１４１０と第２のノード１４２０のうちいずれのＣＳＩ−ＲＳパターンを送信したノードがＰＰＣＩに該当するノードであるかを判断しなければならない。本発明の実施例によると、端末１４８０が受信したＣＳＩ−ＲＳのうち特定順序に送信されたＣＳＩ−ＲＳ又は特定位置に存在するＣＳＩ−ＲＳの仮想セル識別子を端末のプライマリ物理的セル識別子として決定することができる。
【０１８９】
例えば、端末１４８０が受信したＣＳＩ−ＲＳは、設定番号（ｃｏｎｆｉｇｕｒａｔｉｏｎ  ｎｕｍｂｅｒ）とサブフレーム設定番号（ｓｕｂｆｒａｍｅ  ｃｏｎｆｉｇｕｒａｔｉｏｎ  ｎｕｍｂｅｒ）のようなパラメータに基づいてサブフレーム内で特定の時間特定位置に送信されるＣＳＩ−ＲＳを特定することができる。特定されたＣＳＩ−ＲＳの仮想セル識別子は、プライマリ物理的セル識別子（ｐｒｉｍａｒｙ  ｐｈｙｓｉｃａｌ  ｃｅｌｌ  ＩＤ）になることができ、該当ＣＳＩ−ＲＳを送信したノードがＰＰＣＩになることができる。即ち、端末１４８０は、特定順序に送信される又は特定位置に存在するＣＳＩ−ＲＳの仮想セル識別子をＰＰＣＩ（ｐｒｉｍａｒｙ  ｐｈｙｓｉｃａｌ  ｃｅｌｌ  ＩＤ）で潜在的に判断し、同じ仮想セル識別子（ｖｉｒｔｕａｌ  ｃｅｌｌ  ＩＤ）を有するノードがｅ−ＰＤＣＣＨを介して送信した制御情報を受信することができる。
【０１９０】
このような方法を使用することで、別にプライマリ物理的セル識別子の指示子フィールドのようなＣＳＩ−ＲＳを送信した仮想セル識別子がＰＰＣＩであるかどうかを判断するフィールドを送信しなくても特定ノンゼロパワーＣＳＩ−ＲＳリソース要素（ら）（ｎｏｎ−ｚｅｒｏ−ｐｏｗｅｒ  ＣＳＩ−ＲＳ  ｒｅｓｏｕｒｃｅ  ｅｌｅｍｅｎｔ（ｓ））に基づいてｅ−ＰＤＣＣＨを介して制御情報を送信するプライマリ物理的セル識別子を潜在的に推定することができる。このとき、端末の動作は、下記のような動作を実行することができる。
【０１９１】
（１）ＣＳＩ−ＲＳ設定に複数のノンゼロパワーＣＳＩ−ＲＳリソース（ｎｏｎ−ｚｅｒｏ−ｐｏｗｅｒ  ＣＳＩ−ＲＳ  ｒｅｓｏｕｒｃｅ）が存在する場合、端末は、特定ＣＳＩ−ＲＳリソースの仮想セル識別子（ｖｉｒｔｕａｌ  ｃｅｌｌ  ＩＤ）をプライマリ物理的セル識別子と判断し、プライマリ物理的セル識別子に該当するノードがｅ−ＰＤＣＣＨを介して送信する制御情報を受信することができる。
【０１９２】
（２）特定ＣＳＩ−ＲＳのセル識別子フィールドが省略された場合、端末は、ＳＳを介して取得した物理的セル識別子に基づいてｅ−ＰＤＣＣＨを介して制御情報を受信することができる。
【０１９３】
（３）ＣＳＩ−ＲＳ設定に一つのノンゼロパワーＣＳＩ−ＳＲリソース（ｎｏｎ−ｚｅｒｏ−ｐｏｗｅｒ  ＣＳＩ−ＲＳ  ｒｅｓｏｕｒｃｅ）のみが存在する場合、端末は、受信された一つのノンゼロパワーＣＳＩ−ＲＳ（ｎｏｎ−ｚｅｒｏ  ｐｏｗｅｒ  ＣＳＩ−ＲＳ）に基づいて算出された仮想セル識別子（ｖｉｒｔｕａｌ  ｃｅｌｌ  ＩＤ）に基づいてｅ−ＰＤＣＣＨを介して送信する制御情報を受信することができる。
【０１９４】
もし、受信された一つのノンゼロパワーＣＳＩ−ＲＳ（ｎｏｎ−ｚｅｒｏ  ｐｏｗｅｒ  ＣＳＩ−ＲＳ）のセル識別子フィールド（ｃｅｌｌ  ＩＤ  ｆｉｅｌｄ）が省略された場合、ＳＳを介して取得した物理的セル識別子（ｐｈｙｓｉｃａｌ  ｃｅｌｌ  ＩＤ）に基づいてｅ−ＰＤＣＣＨを受信することができる。
【０１９５】
本発明の実施例によると、基地局が端末に送信するＣＳＩ−ＲＳを設定する時、ＰＰＣＩ（ｐｒｉｍａｒｙ  ｐｈｙｓｉｃａｌ  ｃｅｌｌ  ＩＤ）を算出するためのプライマリＣＳＩ−ＲＳリソースを指示することができる。
【０１９６】
図１５は、本発明の実施例に係るＰＰＣＩを使用してノードの動作を制御する方法を示す概念図である。
【０１９７】
プライマリＰＣＩ（ＰＰＣＩ）は、前述したようなｅ−ＰＤＣＣＨの復調のための用途だけでなく、他の用途で使われることができる。
【０１９８】
例えば、表２のように互いに異なる仮想セル識別子を有する複数のＣＳＩ−ＲＳパターンを端末が受信する場合を仮定することができる。基地局１５００が端末１５８０に送信するＣＳＩ−ＲＳを設定する時、ＰＰＣＩを算出するプライマリＣＳＩ−ＲＳを指示することができる。
【０１９９】
端末１５８０は、基地局１５００から指示されたプライマリＰＣＩに基づいて多様な情報を得ることができる。例えば、
【０２００】
１）プライマリＣＳＩ−ＲＳがＣｏＭＰ動作におけるサービングポイント（ｓｅｒｖｉｎｇ  ｐｏｉｎｔ）を指示する用途で使われることができる。例えば、端末１５８０は、プライマリＣＳＩ−ＲＳに基づいてＣｏＭＰ動作を実行する時、プライマリＣＳＩ−ＲＳのセル識別子が示す仮想セル識別子を有するノード１５１０がサービングポイントという情報の提供を受けることができる。ＣｏＭＰフィードバックにおいてプライマリＣＳＩ−ＲＳのセル識別子が示す仮想セル識別子情報に基づいてサービングポイントと残りのコーディネーションポイント（ｃｏｏｒｄｉｎａｔｉｎｇ  ｐｏｉｎｔ（ｓ））を区分することができる。例えば、ＣＳ／ＣＢ（ｃｏｏｒｄｉｎａｔｅｄ  ｓｃｈｅｄｕｌｉｎｇ／ｂｅａｍｆｏｒｍｉｎｇ）動作をサポートするためにはいずれのノードがデータを送信するノード（ｓｅｒｖｉｎｇ  ｐｏｉｎｔ）１５１０であり、いずれのノードが干渉の被害を減らすためのノード（ｃｏｏｒｄｉｎａｔｉｎｇ  ｐｏｉｎｔｓ）１５２０であるかに対する区分が必要である。このとき、端末１５８０は、ＰＰＣＩとして指示されたＣＳＩ−ＲＳリソースがサービングポイント１５１０からのＣＳＩ−ＲＳ送信であると仮定してフィードバックを構成することができる。
【０２０１】
２）ＰＰＣＩが端末のＰＤＳＣＨ復調に使われることができる。ＰＰＣＩが端末のＰＤＳＣＨ復調に使われる場合、基地局１５００は、実際データを送信するノードに関係なしに該当端末１５８０にＰＰＣＩでＰＤＳＣＨを生成（シーケンス生成に利用）して送信し、端末１５８０は、ＰＰＣＩでＰＤＳＣＨ復調（ＵＥ−特定ＲＳ復調を含む）を実行することができる。プライマリＣＳＩ−ＲＳに対する特定パラメータ（例えば、セル識別子フィールド）は、ＣＳＩ−ＲＳ−設定情報要素だけでなく、他の情報要素にも適用されることができるため、ＣＳＩ−ＲＳ−設定情報要素より上位メッセージフォーマットで定義されて送信されることができる。
【０２０２】
以下の表９は、ＵＥ特定物理的チャネル設定を実行するＩＥ（ｉｎｆｏｒｍａｔｉｏｎ  ｅｌｅｍｅｎｔ）であるＰｈｙｓｉｃａｌＣｏｎｆｉｇＤｅｄｉｃａｔｅｄ  ＩＥにプライマリセル識別子フィールド（ｐｒｉｍａｒｙ  ｃｅｌｌ  ＩＤ  ｆｉｅｌｄ）が追加されたことを示す。
【０２０３】
【表９】
0005703398.tif 000015
【０２０４】
表９を参照すると、プライマリセル識別子フィールド（ｐｒｉｍａｒｙ  ｃｅｌｌ  ＩＤ  ｆｉｅｌｄ）は、特定目的（例えば、ｅ−ＰＤＣＣＨ設定、ＰＤＳＣＨ設定、ＵＥ−特定ＲＳ設定、ＣｏＭＰでサービングポイント指示（ｓｅｒｖｉｎｇ  ｐｏｉｎｔ  ｉｎｄｉｃａｔｉｏｎ  ｆｏｒ  ＣｏＭＰ））において、既存の物理的セル識別子を代えるパラメータとして使われることができる。
【０２０５】
即ち、本発明の実施例によると、ＰｈｙｓｉｃａｌＣｏｎｆｉｇＤｅｄｉｃａｔｅｄ  ＩＥに特定目的（例えば、ｅ−ＰＤＣＣＨ設定、ＰＤＳＣＨ設定、ＵＥ−特定ＲＳ設定、ＣｏＭＰからサービングポイント指示）のために使用されるプライマリセル識別子フィールド及び／又はプライマリセル指示子（ｐｒｉｍａｒｙ  ｃｅｌｌ  ＩＤ  ｆｉｅｌｄ  ａｎｄ／ｏｒ  ｐｒｉｍａｒｙ  ｃｅｌｌ  ｉｎｄｉｃａｔｏｒ）を追加する方法を使用することで、プライマリ物理的セル識別子（ｐｒｉｍａｒｙ  ｐｈｙｓｉｃａｌ  ｃｅｌｌ  ＩＤ）に対する情報を端末に送信することができる。
【０２０６】
表１０は、本発明の他の実施例としてプライマリセル識別子フィールド（ｐｒｉｍａｒｙ  ｃｅｌｌ  ＩＤ  ｆｉｅｌｄ）の代わりに複数個のＣＳＩ−ＲＳリソースを設定しながら、そのうち何番目がプライマリＣＳＩ−ＲＳリソースに該当するかを示すプライマリセル指示子を追加することもできる。このとき、プライマリＣＳＩ−ＲＳリソースに該当するセル識別子がＰＰＣＩである。
【０２０７】
【表１０】
0005703398.tif 000016
【０２０８】
図１６は、本発明の実施例が適用されることができる無線装置を示すブロック図である。
【０２０９】
無線装置７０は、前述した実施例を具現することができる端末であり、ＡＰ又は非ＡＰＳＴＡ（ｎｏｎ−ＡＰ  ｓｔａｔｉｏｎ）である。
【０２１０】
無線装置７０は、プロセッサ７２、メモリ７４、及びトランシーバ（ｔｒａｎｓｃｅｉｖｅｒ）７６を含む。トランシーバ７６は、無線信号を送信／受信し、ＩＥＥＥ８０２．１１の物理階層が具現される。プロセッサ７２は、トランシーバ７６と機能的に連結され、ＩＥＥＥ８０２．１１のＭＡＣ階層及び物理階層を具現する。プロセッサ７２は、本発明の実施例にトランシーバ７６を介して受信されたＲＲＣ（ｒａｄｉｏ  ｒｅｓｏｕｒｃｅ  ｃｏｎｔｒｏｌ）メッセージを介して取得されたｐｒｉｍａｒｙ  ｐｈｙｓｉｃａｌ  ｃｅｌｌ  ＩＤ（ｉｄｅｎｔｉｆｉｃａｔｉｏｎ）を指示する情報に基づいていずれのノードからｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）上に制御情報を受信するかを決定することができる。また、プロセッサ７２は、ｐｒｉｍａｒｙ  ｐｈｙｓｉｃａｌ  ｃｅｌｌ  ＩＤを算出するための動作のような前述した本発明の実施例を具現するように設定されることができる。
【０２１１】
プロセッサ７２及び／又はトランシーバ７６は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ７４は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。実施例がソフトウェアで具現される時、前述した技法は前述した機能を遂行するモジュール（過程、機能など）で具現されることができる。モジュールは、メモリ７４に格納され、プロセッサ７２により実行されることができる。メモリ７４は、プロセッサ７２の内部又は外部にあり、よく知られた多様な手段によりプロセッサ７２と連結されることができる。
【図１】
0005703398.tif 000017
【図２】
0005703398.tif 000018
【図３】
0005703398.tif 000019
【図４】
0005703398.tif 000020
【図５】
0005703398.tif 000021
【図６】
0005703398.tif 000022
【図７】
0005703398.tif 000023
【図８】
0005703398.tif 000024
【図９】
0005703398.tif 000025
【図１０】
0005703398.tif 000026
【図１１】
0005703398.tif 000027
【図１２】
0005703398.tif 000028
【図１３】
0005703398.tif 000029
【図１４】
0005703398.tif 000030
【図１５】
0005703398.tif 000031
【図１６】
0005703398.tif 000032